(57)【要約】【課題】遠隔地にいる指定したユーザのみに文書データを渡し、さらに文書データのプリント履歴を送信元へ送信することで画像通信装置における通信の信頼性と文書データのセキュリティと装置の利便性を向上させる。【解決手段】通信により受信した文書データを記憶する手段と、文書データの付属情報である文書データを識別する文書ＩＤ、送信者ユーザ名、プリントを許可するユーザＩＤ、受信を通知するユーザ宛先などを記憶する手段と、プリントを許可されたユーザ宛先へ受信通知として文書ＩＤを送信する手段と、ユーザＩＤを認証してプリントコマンドに従い、文書ＩＤに対応する文書データをプリントする手段と、文書データ記憶手段に記憶された文書ＩＤに対応した文書データを削除する手段とを備え、文書データ削除手段は、文書データのプリントを許可された全てのユーザがプリントを実行完了した時点で、記憶された文書データを削除することを特徴とする。【選択図】図１２
2010166431.tif 000002
【特許請求の範囲】
【請求項１】
通信により受信した文書データを記憶する文書データ記憶手段と、
前記文書データとともに受信した、前記文書データの付属情報である前記文書データを識別する文書ＩＤ、送信者のユーザ名、前記文書データのプリントを許可するユーザのユーザＩＤ、前記文書データの受信を通知するユーザの宛先アドレスなどを記憶する文書付属情報記憶手段と、
前記文書データのプリントを許可された前記ユーザの宛先アドレスへ前記文書データの受信通知として前記文書ＩＤを送信する文書ＩＤ送信手段と、
外部デバイスから入力される前記ユーザＩＤを認証してプリントコマンドに従い、前記文書ＩＤに対応する前記文書データをプリントする文書データプリント手段と、
前記文書データ記憶手段に記憶された前記文書ＩＤに対応した前記文書データを削除する文書データ削除手段と、を備え、
前記文書データ削除手段は、前記通信により受信した前記文書データのプリントを許可された全ての前記ユーザが、前記文書データのプリントを実行完了した時点で、前記文書データ記憶手段に記憶された前記文書ＩＤに対応した前記文書データを削除することを特徴とする画像通信装置。
【請求項２】
文書データプリント手段は、前記プリントを許可された前記ユーザＩＤを持ったデバイスからの前記文書データのプリント動作を前記文書データとともに受信して前記文書付属情報記憶手段に記憶されたプリント回数だけ行うことを特徴とする請求項１に記載の画像通信装置。
【請求項３】
前記文書付属情報記憶手段は、前記文書データのプリントが許可された前記ユーザから前記文書ＩＤに対応した前記文書データのプリントを実行する権限を他のユーザに譲渡するためのプリント権限譲渡コマンドを受信した場合に、記憶された前記ユーザＩＤと前記文書データの受信を通知するアドレスを、前記プリント権限譲渡コマンドで指定された譲渡先のユーザのユーザＩＤと文書データの受信を通知するアドレスに変更して記憶することを特徴とする請求項１または２に記載の画像通信装置。
【請求項４】
前記文書データ削除手段は、前記文書データのプリントを許可された前記ユーザが複数の場合でも前記プリントを許可された前記ユーザＩＤを持ったデバイスからの前記文書データのプリントが１回実行された時点で、前記文書データ記憶手段に記憶された前記文書ＩＤに対応した前記文書データを削除することを特徴とする請求項１から３のいずれか１項に記載の画像通信装置。
【請求項５】
前記文書データ削除手段は、前記文書データとともに受信して前記文書データの付属情報として前記文書付属情報記憶手段に記憶された文書データの保存期限になると、前記文書データ記憶手段に記憶された前記文書ＩＤに対応した前記文書データを削除することを特徴とする請求項１から４のいずれか１項に記載の画像通信装置。
【請求項６】
前記文書付属情報記憶手段は、前記文書データのプリントが許可された前記ユーザから前記文書データの保存期限を延長するための延長依頼コマンドを受信した場合に、前記文書ＩＤに対応した前記文書データの保存期限を前記延長依頼コマンドで指定された期間だけ延長して記憶することを特徴とする請求項５に記載の画像通信装置。
【請求項７】
前記文書ＩＤ送信手段は、前記文書データの保存期限前の予め定められた時点で、前記文書データのプリントを許可された前記ユーザのうち前記文書データのプリントを実行していない前記ユーザＩＤのユーザのアドレス宛に前記文書データのプリントを催促するメッセージを送信することを特徴とする請求項５または６に記載の画像通信装置。
【請求項８】
前記文書ＩＤ送信手段は、前記文書データのプリントを許可された前記ユーザが前記文書データのプリントを完了した場合に、プリントを実行した前記ユーザＩＤのユーザのアドレス宛に前記文書ＩＤを削除するコマンドを送信することを特徴とする請求項１から７いずれか１項に記載の画像通信装置。
【請求項９】
前記文書ＩＤに対応した前記プリントを許可された前記ユーザＩＤを持ったデバイスからの前記文書データのプリント動作実行の履歴を記憶するプリント履歴記憶手段と、
前記プリント履歴記憶手段に記憶されたプリント履歴をユーザに送信するプリント履歴送信手段と、を備え、
前記プリント履歴送信手段は、前記プリント履歴記憶手段に記憶されたプリント履歴情報を前記文書データの送信元端末へ送信することを特徴とする請求項１から８いずれか１項に記載の画像通信装置。
【請求項１０】
前記プリント履歴送信手段は、前記プリント履歴記憶手段に記憶された前記プリント履歴情報を前記文書データとともに受信して前記文書付属情報記憶手段に記憶されている前記プリント履歴の送信先宛先アドレスに送信することを特徴とする請求項１から９のいずれか１項に記載の画像通信装置。
【請求項１１】
前記プリント履歴送信手段は、前記プリント履歴記憶手段に記憶された前記プリント履歴情報の送信を前記文書データとともに受信して前記文書付属情報記憶手段に記憶されている前記プリント履歴の送信時刻に実行することを特徴とする請求項９または１０に記載の画像通信装置。
【請求項１２】
通信により受信した文書データを記憶する文書データ記憶ステップと、
前記文書データとともに受信した、前記文書データの付属情報である前記文書データを識別する文書ＩＤ、送信者のユーザ名、前記文書データのプリントを許可するユーザのユーザＩＤ、前記文書データの受信を通知するユーザの宛先アドレスなどを記憶する文書付属情報記憶ステップと、
前記文書データのプリントを許可された前記ユーザの宛先アドレスへ前記文書データの受信通知として前記文書ＩＤを送信する文書ＩＤ送信ステップと、
外部デバイスから入力される前記ユーザＩＤを認証してプリントコマンドに従い、前記文書ＩＤに対応する前記文書データをプリントする文書データプリントステップと、
前記文書データ記憶手段に記憶された前記文書ＩＤに対応した前記文書データを削除する文書データ削除ステップと、を備え、
前記文書データ削除ステップは、前記通信により受信した前記文書データのプリントを許可された全ての前記ユーザが、前記文書データのプリントを実行完了した時点で、前記文書データ記憶手段に記憶された前記文書ＩＤに対応した前記文書データを削除することを特徴とする画像通信方法。
【発明の詳細な説明】
【技術分野】
【０００１】
本発明は、通信により受信した文書データを記憶して許可された人だけが文書データをプリント可能なセキュリティ機能を有する画像通信装置及び画像通信方法に関する。
【背景技術】
【０００２】
コピー、プリンタ、ＦＡＸ等の画像の読み取り、プリント処理を実行する複合機を使用して、遠隔地にある複合機へＦＡＸ等の通信手段により画像データを伝送して、遠隔地にある複合機にてこの画像データをプリントする場合、このプリント記録紙を画像送信元のユーザが意図しない第三者のユーザによって持ち去られてしまい情報が伝わらないことや、さらにその情報が漏洩されることによって画像通信装置の利用に支障をきたす場合がある。
【０００３】
このような問題を回避するために、画像送信元の端末にて親展送信機能を使用し、送信された画像データは受信端末の親展ボックスに蓄積され、この親展ボックスにある画像データをプリントするためにはパスワードなどの親展ＩＤを入力するようにして、遠隔地にいる特定のユーザのみに画像を渡す機能を持たせた機器が市販されている。
【０００４】
しかしながら、この親展送信機能では画像送信元のユーザは送信された画像データを受信端末で誰がいつプリントしたのかといった情報を簡単に知ることができない。そのため確実に意図した相手が画像を受け取ったかを確認するのには手間がかかる。また、送信した画像を複数の相手に確実に見てもらいたい場合には、各相手に画像を受け取ったことを確認しなければならないので大変な手間である。
【０００５】
また、データ処理装置において文書等の閲覧を確実に行ってもらうために以下のような技術が提案されている。特許文献１では、操作者の認証処理（ユーザ認証）を行い、認証された操作者のみが操作を行えるＭＦＰにおいて、ユーザ認証に成功すると、認証されたユーザは未読の重要文書が情報管理サーバにあるか否かを問い合わせて、未読の重要文書がある場合にはその文書を情報管理サーバから受け取ってプリント出力しなければならない。これにより未読の閲覧情報を閲覧したと判定されるので、その後はじめてコピー、印刷、ＦＡＸ等の各処理を行うための操作をユーザに許可するという方法が提案されている。
【発明の概要】
【発明が解決しようとする課題】
【０００６】
上述の特許文献１に記載の技術では、ユーザは情報管理サーバにある重要文書を確実に閲覧できるようになるが、重要文書がサーバに保存された時に閲覧させたいユーザに対して通知しないので、閲覧の即時性に欠けるといった問題があった。また、送信元のユーザは送信先の相手がいつ情報を受け取ったのかという確認も簡単にできない。
【０００７】
そこで本発明は、上記問題点に鑑みてなされたもので、遠隔地にいる指定したユーザのみに文書データを渡し、さらに文書データのプリント履歴を送信元へ送信することで画像通信装置における通信の信頼性と文書データのセキュリティと装置の利便性を向上させることを目的とする。
【課題を解決するための手段】
【０００８】
上記問題を解決するため、本発明における画像通信装置は、通信により受信した文書データを記憶する手段と、文書データとともに受信した、文書データの付属情報である文書データを識別する文書ＩＤ、送信者ユーザ名、プリントを許可するユーザのユーザＩＤ、受信を通知するユーザ宛先などを記憶する手段と、プリントを許可されたユーザ宛先へ受信通知として文書ＩＤを送信する手段と、ユーザＩＤを認証してプリントコマンドに従い、文書ＩＤに対応する文書データをプリントする手段と、文書データ記憶手段に記憶された文書ＩＤに対応した文書データを削除する手段と、を備え、文書データ削除手段は、文書データのプリントを許可された全てのユーザがプリントを実行完了した時点で、記憶された文書データを削除することを特徴とする。
【０００９】
また、本発明に係る画像通信方法は、通信により受信した文書データを記憶する文書データ記憶ステップと、文書データとともに受信した、文書データの付属情報である文書データを識別する文書ＩＤ、送信者のユーザ名、文書データのプリントを許可するユーザのユーザＩＤ、文書データの受信を通知するユーザの宛先アドレスなどを記憶する文書付属情報記憶ステップと、文書データのプリントを許可されたユーザの宛先アドレスへ文書データの受信通知として文書ＩＤを送信する文書ＩＤ送信ステップと、外部デバイスから入力されるユーザＩＤを認証してプリントコマンドに従い、文書ＩＤに対応する文書データをプリントする文書データプリントステップと、文書データ記憶手段に記憶された文書ＩＤに対応した文書データを削除する文書データ削除ステップと、を備え、文書データ削除ステップは、通信により受信した文書データのプリントを許可された全てのユーザが、文書データのプリントを実行完了した時点で、文書データ記憶手段に記憶された文書ＩＤに対応した文書データを削除することを特徴とする。
【発明の効果】
【００１０】
本発明により、遠隔地にいる指定したユーザのみに文書データを渡すことができ、さらに文書データのプリント履歴情報を知ることができるために画像通信装置における通信の信頼性と文書データのセキュリティと装置の利便性を向上させることができる。
【図面の簡単な説明】
【００１１】
【図１】本実施形態に係る機器接続構成の例である。
【図２】本実施形態に係るＩＰ−ＦＡＸ（複合機）のハードウェア構成の例である。
【図３】本実施形態に係るＩＰ−ＦＡＸ（複合機）の送信機としての機能構成図である。
【図４】本実施形態に係るＩＰ−ＦＡＸ（複合機）の受信機としての機能構成図である。
【図５】ＮＳＳコマンドのフォーマットの例である。
【図６】ＴＣＰパケットの場合のデータ構造の例である。
【図７】文書ＩＤ−ユーザＩＤ対応テーブルの例である。
【図８】ＳＩＰサーバ２から送信されたＭＥＳＳＡＧＥメッセージの例である。
【図９】ＳＩＰサーバ２から送信されたＭＥＳＳＡＧＥメッセージの例である。
【図１０】文書ＩＤ−ユーザＩＤ対応テーブルの例である。
【図１１】送信元端末へ送信するプリント履歴の例である。
【図１２】本実施形態に係るＩＰ−ＦＡＸ２０（受信側）の動作フロー図である。
【図１３】文書ＩＤ−ユーザＩＤ対応テーブルの例である。
【図１４】本実施形態に係るＩＰ−ＦＡＸ２０（受信側）の動作フロー図である。
【図１５】本実施形態に係るＩＰ−ＦＡＸ２０（受信側）の動作フロー図である。
【図１６】本実施形態に係る機器接続構成の例である。
【図１７】文書ＩＤ−ユーザＩＤ対応テーブルの例である。
【図１８】本実施形態に係るＩＰ−ＦＡＸ２０（受信側）の動作フロー図である。
【図１９】文書ＩＤ−ユーザＩＤ対応テーブルの例である。
【発明を実施するための形態】
【００１２】
以下、本発明の一実施形態に係る画像通信装置（複合機）の構成及び動作について説明する。
【００１３】
まず、本実施形態に係る複合機の構成について図面を参照して説明する。
【００１４】
本実施形態では、文書データはスキャナから読み取った画像データとし、文書データの送信端末、受信端末ともコピー機能、プリンタ機能、ＩＰ−ＦＡＸ機能を持った複合機であり、これらの複合機間でＩＰ−ＦＡＸ機能を使用して文書データの伝送を行う場合について説明する。
【００１５】
ＩＰ−ＦＡＸの呼接続手順はＳＩＰ（Ｓｅｓｓｉｏｎ Ｉｎｉｔｉａｔｉｏｎ Ｐｒｏｔｏｃｏｌ）であり、ＳＩＰサーバを使用して相手端末と接続できるようになっている。受信端末が文書データの受信を通知するユーザの端末はＩＰ携帯電話である。
【００１６】
図１に本実施形態における機器接続例を示す。ＩＰネットワーク１にはＳＩＰサーバ２が接続されており、拠点Ａに存在するＩＰ−ＦＡＸ１０、ＰＣ１１、アクセスポイント（ＡＰ）１２、ＩＰ携帯電話１３等と拠点Ｂに存在するＩＰ−ＦＡＸ２０、ＰＣ２１、アクセスポイント（ＡＰ）２２、ＩＰ携帯電話２３、ＩＰ携帯電話２４等は、お互いにＩＰネットワーク１を介して通信できるようになっている。なお、ＩＰ携帯電話１３とアクセスポイント（ＡＰ）１２との間、およびＩＰ携帯電話２３、ＩＰ携帯電話２４とアクセスポイント（ＡＰ）２２との間はＩＥＥＥ（Ｉｎｓｔｉｔｕｔｅ ｏｆ Ｅｌｅｃｔｒｉｃａｌ ａｎｄ Ｅｌｅｃｔｒｏｎｉｃｓ Ｅｎｇｉｎｅｅｒｓ）８０２．１１ｂ規格の無線ＬＡＮで接続している。
【００１７】
図２に本実施形態におけるＩＰ−ＦＡＸ（複合機）のハードウェア構成を示す。ＩＰ−ＦＡＸ１０とＩＰ−ＦＡＸ２０はコピー機能、プリンタ機能、ＩＰ−ＦＡＸ機能を持った複合機である。
【００１８】
ＩＰ−ＦＡＸ１０とＩＰ−ＦＡＸ２０は、ＣＰＵ３０、メインメモリ３１、フラッシュＲＯＭ（Ｒｅａｄ Ｏｎｌｙ Ｍｅｍｏｒｙ）３２、クロック３３、バスコントローラ３４、ＰＣＩ（Ｐｅｒｉｐｈｅｒａｌ Ｃｏｍｐｏｎｅｎｔ Ｉｎｔｅｒｃｏｎｎｅｃｔ）ブリッジ３５、キャッシュメモリ３６、原稿用スキャナ３７、原稿スキャナコントローラ３８、プリントエンジ３９、プリントコントローラ４０、ハードディスク４１、ＨＤ（Ｈａｒｄ Ｄｉｓｋ）コントローラ４２、ＬＣＤ表示コントローラ４３、ＬＣＤ４４、ＬＡＮコントローラ４５、ＬＡＮ  Ｉ／Ｆ（Ｉｎｔｅｒｆａｃｅ）４６、キー入力コントローラ４７、ハードキー４８、タッチパネルコントローラ４９、タッチパネル５０、ＲＴＣ（Ｒｅａｌ Ｔｉｍｅ Ｃｌｏｃｋ）５１、ＵＡＲＴ５２、Ｂｌｕｅｔｏｏｔｈモジュール５３、アンテナ５４、ＣＰＵバス５５、ＰＣＩバス５６、Ｘバス（内部バス）５７と、から構成されている。
【００１９】
ＣＰＵ３０は、フラッシュＲＯＭ３２に記憶された制御処理プログラムやＯＳ（Ｏｐｅｒａｔｉｎｇ Ｓｙｓｔｅｍ）を実行、処理する。メインメモリ３１は、ＤＲＡＭ（Ｄｙｎａｍｉｃ Ｒａｎｄｏｍ ＡＣＣＥＳＳ Ｍｅｍｏｒｙ）より構成されており、ＣＰＵ３０のワークエリア等で使用される。
【００２０】
フラッシュＲＯＭ３２は、電源を切ってもデータが消去されず、電気的に書き換え可能なＲＯＭであり、電源オン時のシステム立ち上げやＩＰ−ＦＡＸ１０、ＩＰ−ＦＡＸ２０の機能を実現するための各種プログラムが予め書き込まれている。また、フラッシュＲＯＭ３２には、プログラムの実行時に参照されるスイッチやパラメータ等のデータも記憶される。
【００２１】
クロック３３は、水晶発振子と分周回路から構成されており、ＣＰＵ３０やバスコントローラ３４の動作タイミングを制御するためのクロックを生成している。バスコントローラ３４は、ＣＰＵバス５５とＸバス５７でのデータ転送を制御する。ＰＣＩブリッジ３５は、キャッシュメモリ３６を使用して、ＰＣＩバス５６とＣＰＵ３０との間のデータ転送を行う。キャッシュメモリ３６は、ＤＲＡＭより構成されており、ＰＣＩブリッジ３５により使用される。
【００２２】
原稿用スキャナ３７は、１次元配列されたＬＥＤアレイを光源としてカラーＣＣＤラインセンサにより紙面画像を読み取り、カラーＣＣＤラインセンサから出力されるＲ（Ｒｅｄ）、Ｇ（Ｇｒｅｅｎ）、Ｂ（Ｂｌｕｅ）の各アナログ画像信号をそれぞれＡ（Ａｎａｌｏｇ）／Ｄ（Ｄｉｇｉｔａｌ）変換によりデジタル画像データに変換する。原稿スキャナコントローラ３８は原稿用スキャナ３７の原稿読み取り動作を制御する。プリントエンジン３９は、シアン、マゼンタ、イエロー、ブラックのトナーを使用して、紙面にカラー画像またはモノクロ画像をプリントする。プリントコントローラ４０はプリントエンジン３９の動作を制御する。
【００２３】
ハードディスク４１は、原稿用スキャナ３７から入力された画像データや通信により受信した画像データ等を記憶する。ＨＤコントローラ４２は、ハードディスク４１とのインタフェースとして例えばＩＤＥ（Ｉｎｔｅｇｒａｔｅｄ Ｄｅｖｉｃｅ Ｅｌｅｃｔｒｏｎｉｃｓ）インタフェースを持ち、ハードディスク４１と高速データ転送を行う。
【００２４】
ＬＣＤ表示コントローラ４３は、文字データやグラフィックデータ等をＤ/Ａ（Ｄｉｇｉｔａｌ／Ａｎａｌｏｇ）変換するとともに、これらのデータをＬＣＤ４４に表示するための制御を行う。ＬＡＮコントローラ４５は例えばＩＥＥＥ８０２．３規格に準拠した通信プロトコルを実行して、ＬＡＮ Ｉ／Ｆ４６を介してイーサネット（登録商標）に接続された他の機器との通信を制御する。
【００２５】
キー入力コントローラ４７は、ハードキー４８から入力されたシリアルデータからパラレルデータへの変換を行う。タッチパネルコントローラ４９は、タッチパネル５０上で指等の物体が接触した部分を検出し、その位置情報を取り込む。タッチパネル５０はＬＣＤ４４と重ね合わせて密着している。ＲＴＣ５１は日付時計であり、図示していないバッテリーによりバックアップされている。
【００２６】
ＵＡＲＴ（Ｕｎｉｖｅｒｓａｌ Ａｓｙｎｃｈｒｏｎｏｕｓ Ｒｅｃｅｉｖｅｒ Ｔｒａｎｓｍｉｔｔｅｒ）５２は、ＣＰＵ３０とＢｌｕｅｔｏｏｔｈモジュール５３との間でシリアルデータの授受を行うインターフェイスであり、ＦＩＦＯ（Ｆｉｒｓｔ Ｉｎ、Ｆｉｒｓｔ Ｏｕｔ）やシフトレジスタ等から構成される。Ｂｌｕｅｔｏｏｔｈモジュール５３は、ＲＦ部とベースバンド部から構成されており、Ｂｌｕｅｔｏｏｔｈ規格に準拠した無線通信を実行する。
【００２７】
以降、ＩＰ−ＦＡＸ１０、ＩＰ−ＦＡＸ２０の処理は、特に明記しない限り、ＣＰＵ３０がフラッシュＲＯＭ３２に記憶された制御処理プログラムに従い、メインメモリ３１をワークエリアとして使用して実行、処理する。
【００２８】
図３に本実施形態におけるＩＰ−ＦＡＸ１０とＩＰ−ＦＡＸ２０の送信機としての機能構成図を示す。
【００２９】
ＩＰ−ＦＡＸの送信機能は、画像読取部６０、画像変換部６１、文書送信部６２、表示制御部６３、操作部６４、メッセージ受信部６５と、から構成されている。
【００３０】
画像読取部６０は原稿用スキャナ３７を使用して原稿画像を読み取ってＲＧＢデジタル画像データを取得する。画像変換部６１はカラー画像データを送信する場合は、先に取得したＲＧＢデジタル画像データを色差成分（Ｃｂ、Ｃｒ）と輝度成分（Ｙ）のデータに変換してＪＰＥＧ符号化を行う。画像変換部６１は２値画像データを送信する場合は、先に取得したＲＧＢデジタル画像データを色差成分（Ｃｂ、Ｃｒ）と輝度成分（Ｙ）のデータに変換して、この輝度成分（Ｙ）のデータをフラッシュＲＯＭ３２にスレッシュレベルとして予め記憶された所定の輝度値と比較することにより、スレッシュレベル以上であれば白画素（ビットの値が０）、そうでなければ黒画素（ビットの値が１）として２値データに変換し、この２値データについてMMR圧縮（符号化）を行う。
【００３１】
文書送信部６２は画像変換部６１にて変換されたＪＰＥＧ符号化データ（カラー画像）またはＭＭＲ圧縮データ（２値画像）と、文書ＩＤ、ユーザＩＤ、文書データの受信を通知するアドレスとをＲＦＣ３２６１で規定されたＳＩＰを使用した呼接続、ＩＴＵ−Ｔ勧告Ｔ．３８で規定されたＩＰ−ＦＡＸプロトコルを実行して他のＩＰ−ＦＡＸに送信する。
【００３２】
表示制御部６３はＬＣＤ４４に対する各種画面等の表示処理を制御する。具体的には、表示制御部６３は各種機能を指定するためのメニュー画面の表示、ＩＰ−ＦＡＸの送信宛先を入力するための画面の表示等を制御する。
【００３３】
操作部６４はハードキー４８から入力されたキーデータやタッチパネル５０から入力された座標データに基づいて各種の操作処理を制御する。メッセージ受信部６５は他の端末から送信されたＳＩＰのインスタントメッセージを受信する。
【００３４】
図４に本実施形態におけるＩＰ−ＦＡＸ１０とＩＰ−ＦＡＸ２０の受信機としての機能構成図を示す。
【００３５】
ＩＰ−ＦＡＸの受信機能は、文書受信部７０、文書記憶部７１、文書付属情報記憶部７２、メッセージ送信部７３、ユーザＩＤ認証部７４、プリントコマンド受信部７５、プリント出力部７６、出力用紙７７と、から構成されている。
【００３６】
文書受信部７０はＳＩＰを使用した着呼接続、ＩＴＵ−Ｔ勧告Ｔ．３８で規定されたＩＰ−ＦＡＸプロトコルを実行して他のＩＰ−ＦＡＸからＪＰＥＧ符号化データ（カラー画像）またはＭＭＲ圧縮データ（２値画像）、文書ＩＤ、ユーザＩＤ、文書データの受信を通知するアドレスを受信し、ＪＰＥＧ符号化データとＭＭＲ圧縮データは文書記憶部７１に文書ＩＤと対応付けて記憶する依頼を出し、文書ＩＤ、ユーザＩＤ、文書データの受信を通知するアドレスは文書付属情報記憶部７２に文書ＩＤと対応付けて記憶する依頼を出す。
【００３７】
文書記憶部７１は文書受信部７０にて受信したＪＰＥＧ符号化データをＪＰＥＧ形式ファイルにして、またＭＭＲ圧縮データはＴＩＦＦファイルにして文書ＩＤと対応付けてハードディスク４１に記憶、保存する。
【００３８】
ここで、文書ＩＤとの対応付けは、文書ＩＤを文字列にして、この文字列をＪＰＥＧ形式ファイルとＴＩＦＦファイルのファイル名にする。なお、文書ＩＤはＪＰＥＧ形式ファイルやＴＩＦＦファイルのヘッダ部に入れ込むようにしてもよい。
【００３９】
文書付属情報記憶部７２は文書ＩＤ、ユーザＩＤ、文書データの受信を通知するアドレスを対応付けてフラッシュＲＯＭ３２に記憶する。メッセージ送信部７３は文書データの受信を通知するアドレス宛に文書ＩＤを送信する。ユーザＩＤ認証部７４はユーザがＩＰ−ＦＡＸ１０、ＩＰ−ＦＡＸ２０を使用することを許可するために、入力されたユーザＩＤを予め記憶されたユーザＩＤと照合して一致するものがある場合にはユーザの操作に対して処理を実行し、一致するものが無い場合にはユーザの操作に対して何も処理を実行しない。
【００４０】
プリントコマンド受信部７５はＢｌｕｅｔｏｏｔｈモジュール５３を使用したＢｌｕｅｔｏｏｔｈ通信により文書ＩＤを含んだプリントコマンドを受信する。プリント出力部７６は、指定された文書ＩＤの文書データ（カラー画像データまたは２値画像データ）をプリントエンジン４０を使用して紙７７にプリントする。
【００４１】
次に本実施形態において、拠点Ａに存在するＩＰ−ＦＡＸ１０から拠点Ｂに存在するＩＰ−ＦＡＸ２０に２値画像データを送信する場合のＩＰ−ＦＡＸ１０とＩＰ−ＦＡＸ２０の各動作について図１および図２をもとに説明する。
【００４２】
送信端末であるＩＰ−ＦＡＸ１０は図３に示した機能構成を持ち、受信端末であるＩＰ−ＦＡＸ２０は図４に示した機能構成を持つ。
【００４３】
ＩＰ−ＦＡＸ１０のユーザは、拠点ＢのＩＰ携帯電話２３の所有ユーザとＩＰ携帯電話２４の所有ユーザに原稿画像を渡すために、個別送信モードを選択し、電子電話帳により、ＩＰ携帯電話２３の所有ユーザとＩＰ携帯電話２４の所有ユーザを選択する。
なお、電子電話帳には、予めＩＰ携帯電話２３の所有ユーザのユーザ名がＩＰ携帯電話２３の所有ユーザのユーザＩＤ、ＩＰ携帯電話２３の電話番号と、ＩＰ携帯電話２４の所有ユーザのユーザ名がＩＰ携帯電話２４の所有ユーザのユーザＩＤ、ＩＰ携帯電話２４の電話番号と、各々対応付けられており、この電子電話帳のデータはハードディスク４１に記憶されている。
【００４４】
続いて、ＩＰ−ＦＡＸ１０のユーザは予め登録されている送信者アイコンの一覧から自分のユーザ名のアイコンを選択する。
【００４５】
続いて、ＩＰ−ＦＡＸ１０のユーザが原稿を原稿用スキャナ３７にセットして、ＩＰ−ＦＡＸ２０のＦＡＸ番号を入力してスタートキーを押すと、ＩＰ−ＦＡＸ１０の画像読取部６０は原稿スキャナコントローラ３８を制御して、原稿用スキャナ３７から原稿画像を読み取ってＲＧＢデジタル画像データを取得する。そして、画像読取部６０はこの読み取った画像データに対する文書ＩＤを生成する。
【００４６】
続いて、画像変換部６１はＲＧＢデジタル画像データを色差成分（Ｃｂ、Ｃｒ）と輝度成分（Ｙ）のデータに変換して、この輝度成分（Ｙ）のデータを所定のスレッシュレベルに基づいて２値データに変換し、この２値データについてＭＭＲ圧縮（符号化）を行う。
【００４７】
続いて、文書送信部６２はＳＩＰサーバ２にＩＰ−ＦＡＸ２０のＦＡＸ番号を含めたＩＮＶＩＴＥメッセージを送信すると、ＳＩＰサーバ２は既に登録されているＦＡＸ番号とＩＰアドレスとの対応テーブルを参照して、ＩＰ−ＦＡＸ２０に発呼してＩＰ−ＦＡＸ２０と呼を接続する。
【００４８】
そして、ＩＰ−ＦＡＸ２０との間にＦＡＸデータ用のチャネルを接続すると、文書送信部６２は文書ＩＤ、送信者のユーザ名、ＩＰ携帯電話２３の所有ユーザのユーザＩＤ、ＩＰ携帯電話２３の電話番号、ＩＰ携帯電話２４の所有ユーザのユーザＩＤ、ＩＰ携帯電話２４の電話番号、およびＭＭＲ圧縮された画像データを、ＩＴＵ−Ｔ勧告Ｔ．３８で規定されたプロトコルを実行してＩＰ−ＦＡＸ２０に送信する。
【００４９】
なお、文書ＩＤ、送信者のユーザ名、ＩＰ携帯電話２３の所有ユーザのユーザＩＤ、ＩＰ携帯電話２３の電話番号、ＩＰ携帯電話２４の所有ユーザのユーザＩＤ、ＩＰ携帯電話２４の電話番号はＮＳＳ （Ｎｏｎ−Ｓｔａｎｄａｒｄ Ｆａｃｉｌｉｔｉｅｓ Ｓｅｔ−ｕｐ）コマンドに含めてＩＰ−ＦＡＸ２０へ送信する。図５に文書ＩＤ、送信者のユーザ名、ユーザＩＤ、ＩＰ携帯電話の電話番号を含めたＮＳＳコマンドのフォーマットの例を示す。
【００５０】
ここで、ＮＳＳコマンドはＩＴＵ−Ｔ勧告Ｔ．３０で定義されたコマンドであるが、ＩＴＵ−Ｔ勧告Ｔ．３８はＩＴＵ−Ｔ勧告Ｔ．３０を参照するようになっており、ＩＴＵ−Ｔ勧告Ｔ．３８はまた ＩＴＵ−Ｔ勧告Ｔ．３０で規定されたＮＳＳ等のＨＤＬＣ（Ｈｉｇｈ−ｌｅｖｅｌ Ｄａｔａ Ｌｉｎｋ Ｃｏｎｔｒｏｌ ｐｒｏｃｅｄｕｒｅ）フレームをＩＦＰ（Ｉｎｔｅｒｎｅｔ Ｆａｃｓｉｍｉｌｅ Ｐｒｏｔｏｃｏｌ）パケットに入れ、このＩＦＰパケットをさらにＵＤＰパケットまたはＴＣＰパケットに入れて送信する仕様となっている。図６にＴＣＰパケットの場合のデータ構造の例を示す。
【００５１】
ＩＰ−ＦＡＸ２０では、文書受信部７０がＩＰ−ＦＡＸ１０から送信されたＮＳＳコマンドを受信すると、これに含まれている文書ＩＤ、送信者のユーザ名、ＩＰ携帯電話２３の所有ユーザのユーザＩＤ、ＩＰ携帯電話２３の電話番号、ＩＰ携帯電話２４の所有ユーザのユーザＩＤ、ＩＰ携帯電話２４の電話番号を文書付属情報記憶部７２に文書ＩＤと対応付けて記憶する依頼を出す。文書付属情報記憶部７２はこの依頼を受けると、各ユーザＩＤに対応した初期値ゼロをセットしたプリント完了フラグも付加して、これらのデータを文書ＩＤ−ユーザＩＤ対応テーブルとしてフラッシュＲＯＭ３２に記憶する。図７に文書ＩＤ−ユーザＩＤ対応テーブルの例を示す。
【００５２】
続いて、ＩＰ−ＦＡＸ２０の文書受信部７０がＭＭＲ圧縮された２値画像データを受信すると、文書記憶部７１にこのＭＭＲ圧縮データを文書ＩＤと対応付けて記憶する依頼を出し、文書記憶部７１は文書ＩＤを文字列にして、この文字列をＴＩＦＦファイルのファイル名にする。そして、文書記憶部７１はＭＭＲ圧縮データをこのファイル名のＴＩＦＦファイルにしてハードディスク４１に記憶、保存する。
【００５３】
続いて、ＩＰ−ＦＡＸ２０のメッセージ送信部７３は、先にフラッシュＲＯＭ３２に記憶させた文書データの受信の通知先であるＩＰ携帯電話２３とＩＰ携帯電話２４に文書ＩＤと送信者のユーザ名をＳＩＰのインスタントメッセージを使用して送信する。なお、このインスタントメッセージはＲＦＣ３４２８（Ｓｅｓｓｉｏｎ Ｉｎｉｔｉａｔｉｏｎ Ｐｒｏｔｏｃｏｌ （ＳＩＰ） Ｅｘｔｅｎｓｉｏｎ ｆｏｒ Ｉｎｓｔａｎｔ Ｍｅｓｓａｇｉｎｇ）に示されたＭＥＳＳＡＧＥメッセージを使用して送信する。
【００５４】
この文書ＩＤを通知する動作を以下に説明する。ＩＰ−ＦＡＸ２０のメッセージ送信部７３は、ＳＩＰサーバ２にＩＰ携帯電話２３の電話番号を含めたＭＥＳＳＡＧＥメッセージを送信すると、ＳＩＰサーバ２は既に登録されている電話番号とＩＰアドレスとの対応テーブルを参照して、ＩＰ携帯電話２３にこのＭＥＳＳＡＧＥメッセージを送信する。
【００５５】
図８に本実施形態における、上述のＳＩＰサーバ２から送信されたこのＭＥＳＳＡＧＥメッセージの例を示す。図８の、１行目はリクエストライン（リクエストの場合）またはステータスライン（レスポンスの場合）で、メソッド名またはステータスコードを含んでいる。
【００５６】
２行目から空白行の直前まではメッセージヘッダで、経由装置（ＳＩＰプロキシサーバ）を表すＶｉａ、リクエストが宛先に向かう過程で通過することができるホップ数を制限するＭａｘ−Ｆｏｒｗａｒｄｓ、送信元のＳＩＰ ＵＲＩ（Ｕｎｉｆｏｒｍ Ｒｅｓｏｕｒｃｅ Ｉｄｅｎｔｉｆｉｅｒ）と送信元を特定する乱数であるｔａｇから成るＦｒｏｍ、送信先のＳＩＰ ＵＲＩを入れたＴｏ、ＳＩＰセッションを一意に特定するためのＣａｌｌ−ＩＤ、リクエストのシーケンス番号であるＣＳｅｑ、メッセージボディがテキストであることを表すＣｏｎｔｅｎｔ−Ｔｙｐｅ、メッセージボディに入れたメッセージの文字数を示すＣｏｎｔｅｎｔ−Ｌｅｎｇｔｈの各パラメータを含んでいる。
【００５７】
空白行の次の行はメッセージボディであり、文書ＩＤの通知を表すメッセージ「Ｄｏｃｕｍｅｎｔ：ＩＤ＝（文書ＩＤ）」と送信者のユーザ名を表すメッセージ「Ｓｅｎｄｅｒ：Ａｌｉｃｅ」がテキスト（アスキー文字）で記載されている。
【００５８】
ＩＰ携帯電話２３はこのＭＥＳＳＡＧＥメッセージを受信すると、このメッセージに含まれた文書ＩＤと送信者のユーザ名をフラッシュＲＯＭ等の不揮発性メモリに記憶するとともに、ＩＰ−ＦＡＸ２０が送信者＝Ａｌｉｃｅから文書を受信したことを表示部に表示する。
【００５９】
ＩＰ−ＦＡＸ２０のメッセージ送信部７３は、次に、ＳＩＰサーバ２にＩＰ携帯電話２４の電話番号を含めたＭＥＳＳＡＧＥメッセージを送信すると、上記と同様にしてこのＭＥＳＳＡＧＥメッセージがＩＰ携帯電話２４に送信される。ＩＰ携帯電話２４はこのＭＥＳＳＡＧＥメッセージを受信すると、このメッセージに含まれた文書ＩＤと送信者のユーザ名をフラッシュＲＯＭ等の不揮発性メモリに記憶するとともに、ＩＰ−ＦＡＸ２０が送信者＝Ａｌｉｃｅから文書を受信したことを表示部に表示する。
【００６０】
なお、ＩＰ携帯電話２３にはＩＰ携帯電話２３の所有ユーザのユーザＩＤが、ＩＰ携帯電話２４にはＩＰ携帯電話２４の所有ユーザのユーザＩＤがフラッシュＲＯＭ等の不揮発性メモリに予め記憶されている。
【００６１】
ＩＰ携帯電話２３の所有ユーザはこの文書ＩＤの通知メッセージによりＩＰ−ＦＡＸ２０が送信者＝Ａｌｉｃｅから文書を受信したことを認知すると、ＩＰ−ＦＡＸ２０にて受信文書をプリントするために、ＩＰ携帯電話２３を持ってＩＰ−ＦＡＸ２０の前に移動する。
【００６２】
ＩＰ携帯電話２３はＢｌｕｅｔｏｏｔｈ通信機能を有しており、ＩＰ携帯電話２３がＩＰ−ＦＡＸ２０に近づくと、Ｂｌｕｅｔｏｏｔｈ通信リンクが自動的に確立され、Ｂｌｕｅｔｏｏｔｈ規格に従った通信プロトコルを開始する。
【００６３】
ＩＰ携帯電話２３がＩＰ−ＦＡＸ２０とＢｌｕｅｔｏｏｔｈ通信を実行して、受信文書をプリントするときの動作について説明する。ＩＰ−ＦＡＸ２０はＢｌｕｅｔｏｏｔｈのマスター端末、ＩＰ携帯電話２３はスレーブ端末として機能するようになっている。また、Ｂｌｕｅｔｏｏｔｈでは、認証用のキーとしてＰＩＮ（Ｐｅｒｓｏｎａｌ ＩＤ Ｎｕｍｂｅｒ）コードを用いることができる。ＩＰ携帯電話２３の所有ユーザのユーザＩＤ をＰＩＮコードとしてＩＰ携帯電話２３とＩＰ−ＦＡＸ２０に登録しておき、ＩＰ−ＦＡＸ２０はＢｌｕｅｔｏｏｔｈのＰＩＮコードを用いた認証手順によりＩＰ携帯電話２３を認証して、ＩＰ携帯電話２３とのＢｌｕｅｔｏｏｔｈ通信の実行を許可する。
【００６４】
ＩＰ携帯電話２３の所有ユーザがＩＰ携帯電話２３を持ってＩＰ−ＦＡＸ２０の前に行くと、ＩＰ携帯電話２３とＩＰ−ＦＡＸ２０はそれぞれＢｌｕｅｔｏｏｔｈの電波信号を検出して、Ｂｌｕｅｔｏｏｔｈ規格に従った通信手順を開始する。まず、Ｂｌｕｅｔｏｏｔｈのインクワイアリ手順によりＩＰ−ＦＡＸ２０はＩＰ携帯電話２３からユーザ名を取得する。ここで、このユーザ名はＩＰ携帯電話２３の電話番号である。そして、ＩＰ−ＦＡＸ２０はＰＩＮコードを用いた認証手順によりＩＰ携帯電話２３を認証する。
【００６５】
この認証手順では、ＩＰ−ＦＡＸ２０のユーザＩＤ認証部７４にて乱数を発生し、この乱数をＩＰ携帯電話２３へ送信し、ＩＰ携帯電話２３から応答として送信されたレスポンス値をユーザＩＤ認証部７４で受信する。そして、ユーザＩＤ認証部７４は先に自分で発生した乱数とＩＰ携帯電話２３の所有ユーザのユーザＩＤ（ＰＩＮコード）、自端末のＢｌｕｅｔｏｏｔｈデバイスアドレス（ＢＤ＿ＡＤＤＲ）を使用して生成された値とＩＰ携帯電話２３から受信したレスポンス値とを比較して、一致した場合はＩＰ携帯電話２３とのＢｌｕｅｔｏｏｔｈ通信の実行を許可して、Ｂｌｕｅｔｏｏｔｈ通信コネクションを確立する。
【００６６】
なお、ＰＩＮコードとして使用するＩＰ携帯電話２３の所有ユーザのユーザＩＤは文書ＩＤ−ユーザＩＤ対応テーブルとしてフラッシュＲＯＭ３２に記憶されたものであり、先にインクワイアリ手順により取得したＩＰ携帯電話２３の電話番号から特定できる。
【００６７】
ＩＰ携帯電話２３はＢｌｕｅｔｏｏｔｈ通信コネクションが確立すると、先にＩＰ−ＦＡＸ２０からＳＩＰのインスタントメッセージにより受信した文書ＩＤをプリントコマンドに含めてＩＰ−ＦＡＸ２０へ送信する。なお、このプリントコマンドはＢｌｕｅｔｏｏｔｈのＯＢＥＸ（ＯＢｊｅｃｔ ＥＸｃｈａｎｇｅ ｐｒｏｔｏｃｏｌ）プロトコルにより送信する。ＩＰ−ＦＡＸ２０のプリントコマンド受信部７５はこのプリントコマンドを受信すると、これに含まれた文書ＩＤと同じファイル名のＴＩＦＦファイルをハードディスク４１から読み出して、このＴＩＦＦファイル中にあるＭＭＲ圧縮データをプリント出力部７６へ渡す。
【００６８】
プリント出力部７６はこのＭＭＲ圧縮データを伸長して、伸長した２値画像データをプリントエンジン３９を使用して紙７７にプリントする。プリントが完了すると、文書ＩＤ−ユーザＩＤ対応テーブル中のＩＰ携帯電話２３の所有ユーザのユーザＩＤに対応したプリント完了フラグをオンにする（１の値をセットする）。
【００６９】
続いて、ＩＰ−ＦＡＸ２０のメッセージ送信部７３は、ＩＰ携帯電話２３に文書ＩＤの削除コマンドをＳＩＰのインスタントメッセージを使用して送信する。
【００７０】
なお、本実施形態において、上述のインスタントメッセージはＳＩＰサーバ２を経由して送信されるが、ＳＩＰサーバ２から送信されたこのＭＥＳＳＡＧＥメッセージの例を図９に示す。
図９の、メッセージボディに入れたメッセージの文字数を示すＣｏｎｔｅｎｔ−Ｌｅｎｇｔｈと空白行の次の行であるメッセージボディ以外は図８と同じである。
【００７１】
このメッセージでは、文書ＩＤの削除を表すメッセージ「ＤＥＬ Ｄｏｃｕｍｅｎｔ：ＩＤ＝（文書ＩＤ）」がテキスト（アスキー文字）で記載されている。ＩＰ携帯電話２３はこのＭＥＳＳＡＧＥメッセージを受信すると、フラッシュＲＯＭ等の不揮発性メモリに記憶されたこのメッセージに含まれた文書ＩＤとそれと対で記憶された送信者のユーザ名を消去する。
【００７２】
次に、ＩＰ携帯電話２４の所有ユーザが文書ＩＤの通知メッセージによりＩＰ−ＦＡＸ２０が送信者＝Ａｌｉｃｅから文書を受信したことを認知すると、ＩＰ−ＦＡＸ２０にて受信文書をプリントするために、ＩＰ携帯電話２４を持ってＩＰ−ＦＡＸ２０の前に移動する。ＩＰ携帯電話２４はＩＰ携帯電話２３と同じ端末であり、ＩＰ携帯電話２４がＩＰ−ＦＡＸ２０に近づくと、Ｂｌｕｅｔｏｏｔｈ通信リンクが自動的に確立され、Ｂｌｕｅｔｏｏｔｈ規格に従った通信プロトコルを開始する。
【００７３】
そして、上述した手順により、ＩＰ携帯電話２４の所有ユーザのユーザＩＤ を使用してＩＰ携帯電話２４を認証して、Ｂｌｕｅｔｏｏｔｈ通信コネクションを確立する。そして、ＩＰ携帯電話２４は、先にＩＰ−ＦＡＸ２０からＳＩＰのインスタントメッセージにより受信した文書ＩＤをプリントコマンドに含めてＩＰ−ＦＡＸ２０へ送信し、ＩＰ−ＦＡＸ２０はこの文書ＩＤに対応した２値画像データをプリントする。そして、文書ＩＤ−ユーザＩＤ対応テーブル中のＩＰ携帯電話２４の所有ユーザのユーザＩＤに対応したプリント完了フラグをオンにする（１の値をセットする）。図１０に、この時の文書ＩＤ−ユーザＩＤ対応テーブルの例を示す。
【００７４】
続いて、ＩＰ−ＦＡＸ２０のメッセージ送信部７３は、ＩＰ携帯電話２４に文書ＩＤの削除コマンドをＳＩＰのインスタントメッセージを使用して送信する。ＩＰ携帯電話２４はこのＭＥＳＳＡＧＥメッセージを受信すると、フラッシュＲＯＭ等の不揮発性メモリに記憶されたこのメッセージに含まれた文書ＩＤとそれと対で記憶された送信者のユーザ名を消去する。
【００７５】
続いて、ＩＰ−ＦＡＸ２０はＩＰ−ＦＡＸ１０から指定された全てのユーザＩＤを持ったユーザがＩＰ−ＦＡＸ１０から受信した文書をプリントしたと判断して、ハードディスク４１に保存されたこの文書の文書ＩＤと同じファイル名のＴＩＦＦファイルを削除し、また、フラッシュＲＯＭ３２に記憶された図９に示した文書ＩＤ−ユーザＩＤ対応テーブルを消去する。
【００７６】
なお、ＩＰ−ＦＡＸ２０は上記の処理に係わった、送信元端末であるＩＰ−ＦＡＸ１０の電話番号、文書の受信日時、文書ＩＤ、送信者のユーザ名、ユーザＩＤ、受信の通知先である電話番号、プリント日時をプリント履歴としてフラッシュＲＯＭ３２に記憶していき、この時点で、このプリント履歴情報を文書の送信元端末であるＩＰ−ＦＡＸ１０へＳＩＰのインスタントメッセージを使用して送信する。
【００７７】
図１１に、上述のプリント履歴の例を示す。ここで、送信元端末であるＩＰ−ＦＡＸ１０の電話番号（ＳＩＰ ＵＲＩ（Ｕｎｉｆｏｒｍ Ｒｅｓｏｕｒｃｅ Ｉｄｅｎｔｉｆｉｅｒｓ）のユーザ名としてセット）は、ＳＩＰサーバ２から受信したＩＮＶＩＴＥメッセージ中のＣｏｎｔａｃｔヘッダから取得する。
【００７８】
図１２に、本実施形態において、ＩＰ−ＦＡＸ２０（受信側）の動作フローを示す。ＩＰ−ＦＡＸ１０（送信側）のユーザから、拠点ＢのＩＰ携帯電話２３の所有ユーザに原稿画像を送信する場合である。
【００７９】
ＩＰ−ＦＡＸ２０はＩＰ−ＦＡＸ１０から着呼があったかを判断し（ステップＳ１０１）、着呼がない場合（ステップＳ１０１、ＮＯ）は、着呼があるまで判断を繰り返す。
【００８０】
着呼があった場合（ステップＳ１０１、ＹＥＳ）、文書付属情報記憶部７２は、ＩＰ−ＦＡＸ１０から送信されたＮＳＳコマンドに含まれる、文書ＩＤ、送信者のユーザ名、ＩＰ携帯電話２３の所有ユーザのユーザＩＤ、ＩＰ携帯電話２３の電話番号を文書ＩＤと対応付けて、また各ユーザＩＤに対応した初期値ゼロをセットしたプリント完了フラグも付加して、これらのデータを文書ＩＤ−ユーザＩＤ対応テーブルとしてフラッシュＲＯＭ３２に記憶する（ステップＳ１０２）。
【００８１】
ＩＰ−ＦＡＸ２０の文書受信部７０がＭＭＲ圧縮された２値画像データを受信すると、文書記憶部７１は文書ＩＤを文字列にして、この文字列をＴＩＦＦファイルのファイル名にする。そして、文書記憶部７１はＭＭＲ圧縮データをこのファイル名のＴＩＦＦファイルにしてハードディスク４１に記憶、保存する（ステップＳ１０３）。
【００８２】
ＩＰ−ＦＡＸ２０のメッセージ送信部７３は、先にフラッシュＲＯＭ３２に記憶させた文書データの受信の通知先であるＩＰ携帯電話２３に文書ＩＤと送信者のユーザ名をＳＩＰのインスタントメッセージを使用して送信する（ステップＳ１０４）。
【００８３】
文書ＩＤを全ての通知先に送信したかを判断し（ステップＳ１０５）、全てに送信していない場合（ステップＳ１０５、ＮＯ）、全ての通知先に文書ＩＤを送信するまで繰り返す。全ての送信先に文書ＩＤを送信（ステップＳ１０５、ＹＥＳ）したら、次にＩＰ携帯電話からのＢｌｕｅｔｏｏｔｈの電波信号を検出したかを判断する（ステップＳ１０６）。
【００８４】
ＩＰ携帯電話２３の所有ユーザがＩＰ携帯電話２３を持ってＩＰ−ＦＡＸ２０の前に行くと、ＩＰ携帯電話２３とＩＰ−ＦＡＸ２０はそれぞれＢｌｕｅｔｏｏｔｈの電波信号を検出して、Ｂｌｕｅｔｏｏｔｈ規格に従った通信手順を開始することになる。
【００８５】
ＩＰ携帯電話からのＢｌｕｅｔｏｏｔｈの電波信号を検出しない場合（ステップＳ１０６、ＮＯ）は、電波信号を検出するまで繰り返す。ＩＰ携帯電話からのＢｌｕｅｔｏｏｔｈの電波信号を検出した場合（ステップＳ１０６、ＹＥＳ）は、Ｂｌｕｅｔｏｏｔｈのインクワイアリ手順によりＩＰ−ＦＡＸ２０はＩＰ携帯電話２３からユーザ名を取得（ステップＳ１０７）する。ここで、このユーザ名はＩＰ携帯電話２３の電話番号である。
【００８６】
そして、ＩＰ−ＦＡＸ２０はＰＩＮコードを用いた認証手順によりＩＰ携帯電話２３を認証（ステップＳ１０８）する。なお、ＰＩＮコードとして使用するＩＰ携帯電話２３の所有ユーザのユーザＩＤは文書ＩＤ−ユーザＩＤ対応テーブルとしてフラッシュＲＯＭ３２に記憶されたものであり、先にインクワイアリ手順により取得したＩＰ携帯電話２３の電話番号から特定できる。
【００８７】
次に認証に成功したかを判断し（ステップＳ１０９）、認証に失敗した場合（ステップＳ１０９、ＮＯ）は、ステップＳ１０６に戻りＢｌｕｅｔｏｏｔｈの電波信号の検出からやり直す。
【００８８】
認証に成功（ステップＳ１０９、ＹＥＳ）したら、ＩＰ携帯電話２３はＢｌｕｅｔｏｏｔｈ通信コネクションを確立して、先にＩＰ−ＦＡＸ２０からＳＩＰのインスタントメッセージにより受信した文書ＩＤをプリントコマンドに含めて送信するので、ＩＰ−ＦＡＸ２０はプリントコマンドを受信（ステップＳ１１０）する。
【００８９】
ＩＰ−ＦＡＸ２０は、このプリントコマンドを受信すると、これに含まれた文書ＩＤと同じファイル名のＴＩＦＦファイルをハードディスク４１から読み出して、このＴＩＦＦファイル中にあるＭＭＲ圧縮データをプリント出力部７６へ渡し、プリント出力部７６はこのＭＭＲ圧縮データを伸長して、伸長した２値画像データをプリントエンジン３９を使用して紙７７にプリント（ステップＳ１１１）する。
【００９０】
プリントが完了すると、文書ＩＤ−ユーザＩＤ対応テーブル中のＩＰ携帯電話２３の所有ユーザのユーザＩＤに対応したプリント完了フラグをオン（１の値をセットする）（ステップＳ１１２）にする。
【００９１】
続いて、ＩＰ−ＦＡＸ２０のメッセージ送信部７３は、ＩＰ携帯電話２３に文書ＩＤの削除コマンドをＳＩＰのインスタントメッセージを使用して送信（ステップＳ１１３）する。
【００９２】
ＩＰ−ＦＡＸ２０は文書ＩＤ−ユーザＩＤ対応テーブル中のプリント完了フラグが全てオンかどうか判断し（ステップＳ１１４）、全てがオンでない場合（ステップＳ１１４、ＮＯ）は、ステップＳ１０６に戻りプリント完了フラグが全てオンになるまでＢｌｕｅｔｏｏｔｈの電波信号の検出判断を繰り返す。プリント完了フラグが全てオンであったなら（ステップＳ１１４、ＹＥＳ）、指定された全てのユーザＩＤを持ったユーザがＩＰ−ＦＡＸ１０から受信した文書をプリントしたと判断して、ハードディスク４１に保存されたこの文書の文書ＩＤと同じファイル名のＴＩＦＦファイルを削除（ステップＳ１１５）し、フラッシュＲＯＭ３２に記憶された図１０に示した文書ＩＤ−ユーザＩＤ対応テーブルを消去（ステップＳ１１６）する。
【００９３】
ＩＰ−ＦＡＸ２０は上記の処理に係わった、送信元端末であるＩＰ−ＦＡＸ１０の電話番号、文書の受信日時、文書ＩＤ、送信者のユーザ名、ユーザＩＤ、受信の通知先である電話番号、プリント日時をプリント履歴としてフラッシュＲＯＭ３２に記憶していき、文書ＩＤ−ユーザＩＤ対応テーブルを消去した時点で、プリント履歴情報を文書の送信元端末であるＩＰ−ＦＡＸ１０へＳＩＰのインスタントメッセージを使用して送信（ステップＳ１１７）して、終了する。
【００９４】
本実施形態において、ＩＰ−ＦＡＸ１０のユーザが送信した画像のプリント回数を拠点ＢのＩＰ携帯電話２３の所有ユーザとＩＰ携帯電話２４の所有ユーザとで異なる回数を設定する場合について説明する。
【００９５】
ＩＰ−ＦＡＸ１０のユーザは、個別送信モードを選択し、電子電話帳により、ＩＰ携帯電話２３の所有ユーザを選択するとこのユーザに対するプリント回数を設定する画面となり、ユーザはＩＰ携帯電話２３の所有ユーザに対して許可するプリント回数を入力する。
【００９６】
ＩＰ−ＦＡＸ１０のユーザは、続いて、電子電話帳により、ＩＰ携帯電話２４の所有ユーザを選択するとこのユーザに対するプリント回数を設定する画面となり、ユーザはＩＰ携帯電話２４の所有ユーザに対して許可するプリント回数を入力する。今、前者に対するプリント回数として２が、後者に対するプリント回数として３が入力されたとする。
【００９７】
続いて、ＩＰ−ＦＡＸ１０のユーザは予め登録されている送信者アイコンの一覧から自分のユーザ名のアイコンを選択する。
【００９８】
続いて、ＩＰ−ＦＡＸ１０のユーザが原稿を原稿用スキャナ３７にセットして、ＩＰ−ＦＡＸ２０のＦＡＸ番号を入力してスタートキーを押すと、ＩＰ−ＦＡＸ１０は原稿用スキャナ３７から原稿画像を読み取って、ＩＰ−ＦＡＸ２０と接続する。そして、ＩＰ−ＦＡＸ１０は文書ＩＤ、送信者のユーザ名、ＩＰ携帯電話２３の所有ユーザのユーザＩＤ、ＩＰ携帯電話２３の電話番号、ＩＰ携帯電話２３の所有ユーザがプリントできる回数、ＩＰ携帯電話２４の所有ユーザのユーザＩＤ、ＩＰ携帯電話２４の電話番号、ＩＰ携帯電話２４の所有ユーザがプリントできる回数をＮＳＳコマンドに含めてＩＰ−ＦＡＸ２０へ送信する。
【００９９】
なお、ユーザＩＤとＩＰ携帯電話の電話番号はユーザ名に対応して電子電話帳に予め登録されている。
【０１００】
ＩＰ−ＦＡＸ２０では、このＮＳＳコマンドを受信すると、これに含まれている文書ＩＤ、送信者のユーザ名、ＩＰ携帯電話２３の所有ユーザのユーザＩＤ、ＩＰ携帯電話２３の電話番号、ＩＰ携帯電話２３の所有ユーザのプリント回数、ＩＰ携帯電話２４の所有ユーザのユーザＩＤ、ＩＰ携帯電話２４の電話番号、ＩＰ携帯電話２４の所有ユーザのプリント回数を各ユーザＩＤに対応した初期値ゼロをセットしたプリント完了フラグも付加して、これらのデータを文書ＩＤ−ユーザＩＤ対応テーブルとしてフラッシュＲＯＭ３２に記憶する。
図１３に本実施形態における、上記の文書ＩＤ−ユーザＩＤ対応テーブルを示す。
【０１０１】
続いて、ＩＰ−ＦＡＸ２０はＭＭＲ圧縮された２値画像データを受信すると、これをＴＩＦＦファイルにしてハードディスク４１に記憶、保存する。続いて、ＩＰ−ＦＡＸ２０はＩＰ携帯電話２３へ文書ＩＤ、送信者のユーザ名、ＩＰ携帯電話２３の所有ユーザのプリント回数を、ＩＰ携帯電話２４へ文書ＩＤ、送信者のユーザ名、ＩＰ携帯電話２４の所有ユーザのプリント回数を、それぞれＳＩＰのインスタントメッセージを使用して送信する。
【０１０２】
ＩＰ携帯電話２３とＩＰ携帯電話２４はこのメッセージを受信すると、このメッセージに含まれた文書ＩＤ、送信者のユーザ名、プリント回数をフラッシュＲＯＭ等の不揮発性メモリに記憶するとともに、ＩＰ−ＦＡＸ２０が送信者＝Ａｌｉｃｅから文書を受信したことをプリント回数とともに表示部に表示する。
【０１０３】
ＩＰ携帯電話２３の所有ユーザが文書ＩＤの通知メッセージによりＩＰ−ＦＡＸ２０が送信者＝Ａｌｉｃｅから文書を受信したことを認知すると、ＩＰ−ＦＡＸ２０にて受信文書をプリントするために、ＩＰ携帯電話２３を持ってＩＰ−ＦＡＸ２０の前に移動する。
【０１０４】
ＩＰ携帯電話２３がＩＰ−ＦＡＸ２０に近づくと、Ｂｌｕｅｔｏｏｔｈ通信リンクが自動的に確立され、ＩＰ−ＦＡＸ２０はＰＩＮコードを用いた認証手順によりＩＰ携帯電話２３を認証する。そして、ＩＰ携帯電話２３は文書ＩＤを含めたプリントコマンドをＢｌｕｅｔｏｏｔｈ通信によりＩＰ−ＦＡＸ２０へ送信し、ＩＰ−ＦＡＸ２０はこの文書ＩＤに対応した２値画像データをプリントする。そして、文書ＩＤ−ユーザＩＤ対応テーブル中のＩＰ携帯電話２３の所有ユーザのユーザＩＤに対応したプリント回数を１だけ減算する。
【０１０５】
その後、ＩＰ携帯電話２３の所有ユーザが再度、受信文書をプリントするために、ＩＰ携帯電話２３を持ってＩＰ−ＦＡＸ２０の前に移動すると、ＩＰ−ＦＡＸ２０は２値画像データをプリントして、文書ＩＤ−ユーザＩＤ対応テーブル中のＩＰ携帯電話２３の所有ユーザのユーザＩＤに対応したプリント回数を１だけ減算する。ここで、ＩＰ携帯電話２３の所有ユーザのユーザＩＤに対応したプリント回数がゼロになるため、文書ＩＤ−ユーザＩＤ対応テーブル中のＩＰ携帯電話２３の所有ユーザのユーザＩＤに対応したプリント完了フラグをオンにする（１の値をセットする）。
【０１０６】
ＩＰ携帯電話２４の所有ユーザも上述のＩＰ携帯電話２３の所有者のようにして許容された回数だけ受信画像をプリントすると、ＩＰ−ＦＡＸ２０は文書ＩＤ−ユーザＩＤ対応テーブル中のＩＰ携帯電話２４の所有ユーザのユーザＩＤに対応したプリント完了フラグをオンにする（１の値をセットする）。
【０１０７】
この時点で、ＩＰ−ＦＡＸ２０はＩＰ−ＦＡＸ１０から指定された全てのユーザＩＤを持ったユーザがＩＰ−ＦＡＸ１０から受信した文書をプリントしたと判断して、ハードディスク４１に保存されたこの文書の文書ＩＤと同じファイル名のＴＩＦＦファイルを削除し、また、フラッシュＲＯＭ３２に記憶された図１３に示した文書ＩＤ−ユーザＩＤ対応テーブルを消去する。
【０１０８】
図１４に本実施形態において上述したＩＰ−ＦＡＸ２０（受信側）の動作フローを示す。ＩＰ−ＦＡＸ１０（送信側）のユーザが送信した画像のプリント回数を拠点ＢのＩＰ携帯電話２３の所有ユーザとＩＰ携帯電話２４の所有ユーザとで異なる回数を設定する場合についてである。ＩＰ携帯電話２３の所有ユーザに対するプリント回数として２が、ＩＰ携帯電話２４の所有ユーザに対するプリント回数として３が設定されたとする。
【０１０９】
ＩＰ−ＦＡＸ２０はＩＰ−ＦＡＸ１０から着呼があったかを判断し（ステップＳ２０１）、着呼がない場合（ステップＳ２０１、ＮＯ）は、着呼があるまで判断を繰り返す。
【０１１０】
着呼があった場合（ステップＳ２０１、ＹＥＳ）、文書付属情報記憶部７２は、ＩＰ−ＦＡＸ１０から送信されたＮＳＳコマンドに含まれる、文書ＩＤ、送信者のユーザ名、ＩＰ携帯電話２３の所有ユーザのユーザＩＤ、ＩＰ携帯電話２３の電話番号、ＩＰ携帯電話２３の所有ユーザのプリント回数、ＩＰ携帯電話２４の所有ユーザのユーザＩＤ、ＩＰ携帯電話２４の電話番号、ＩＰ携帯電話２４の所有ユーザのプリント回数を文書ＩＤと対応付けて、また各ユーザＩＤに対応した初期値ゼロをセットしたプリント完了フラグも付加して、これらのデータを文書ＩＤ−ユーザＩＤ対応テーブルとしてフラッシュＲＯＭ３２に記憶する（ステップＳ２０２）。
【０１１１】
ＩＰ−ＦＡＸ２０の文書受信部７０がＭＭＲ圧縮された２値画像データを受信すると、文書記憶部７１は文書ＩＤを文字列にして、この文字列をＴＩＦＦファイルのファイル名にする。そして、文書記憶部７１はＭＭＲ圧縮データをこのファイル名のＴＩＦＦファイルにしてハードディスク４１に記憶、保存する（ステップＳ２０３）。
【０１１２】
ＩＰ−ＦＡＸ２０のメッセージ送信部７３は、先にフラッシュＲＯＭ３２に記憶させた文書データの受信の通知先であるＩＰ携帯電話２３に文書ＩＤ、送信者のユーザ名、ＩＰ携帯電話２３の所有ユーザのプリント回数をＳＩＰのインスタントメッセージを使用して送信する（ステップＳ２０４）。
【０１１３】
文書ＩＤを全ての通知先に送信したかを判断し（ステップＳ２０５）、全てに送信していない場合（ステップＳ２０５、ＮＯ）、全ての通知先に文書ＩＤを送信するまで繰り返す。全ての送信先に文書ＩＤを送信（ステップＳ２０５、ＹＥＳ）したら、次にＩＰ携帯電話からのＢｌｕｅｔｏｏｔｈの電波信号を検出したかを判断する（ステップＳ２０６）。
【０１１４】
ＩＰ携帯電話２３の所有ユーザがＩＰ携帯電話２３を持ってＩＰ−ＦＡＸ２０の前に行くと、ＩＰ携帯電話２３とＩＰ−ＦＡＸ２０はそれぞれＢｌｕｅｔｏｏｔｈの電波信号を検出して、Ｂｌｕｅｔｏｏｔｈ規格に従った通信手順を開始することになる。
【０１１５】
ＩＰ携帯電話からのＢｌｕｅｔｏｏｔｈの電波信号を検出しない場合（ステップＳ２０６、ＮＯ）は、電波信号を検出するまで繰り返す。ＩＰ携帯電話からのＢｌｕｅｔｏｏｔｈの電波信号を検出した場合（ステップＳ２０６、ＹＥＳ）は、Ｂｌｕｅｔｏｏｔｈのインクワイアリ手順によりＩＰ−ＦＡＸ２０はＩＰ携帯電話２３からユーザ名を取得（ステップＳ２０７）する。ここで、このユーザ名はＩＰ携帯電話２３の電話番号である。
【０１１６】
そして、ＩＰ−ＦＡＸ２０はＰＩＮコードを用いた認証手順によりＩＰ携帯電話２３を認証（ステップＳ２０８）する。なお、ＰＩＮコードとして使用するＩＰ携帯電話２３の所有ユーザのユーザＩＤは文書ＩＤ−ユーザＩＤ対応テーブルとしてフラッシュＲＯＭ３２に記憶されたものであり、先にインクワイアリ手順により取得したＩＰ携帯電話２３の電話番号から特定できる。
【０１１７】
次に認証に成功したかを判断し（ステップＳ２０９）、認証に失敗した場合（ステップＳ２０９、ＮＯ）は、ステップＳ２０６に戻りＢｌｕｅｔｏｏｔｈの電波信号の検出からやり直す。
【０１１８】
認証に成功（ステップＳ２０９、ＹＥＳ）したら、ＩＰ携帯電話２３はＢｌｕｅｔｏｏｔｈ通信コネクションを確立して、先にＩＰ−ＦＡＸ２０からＳＩＰのインスタントメッセージにより受信した文書ＩＤをプリントコマンドに含めて送信するので、ＩＰ−ＦＡＸ２０は文書ＩＤを含んだプリントコマンドを受信（ステップＳ２１０）する。
【０１１９】
ＩＰ−ＦＡＸ２０は、このプリントコマンドを受信すると、これに含まれた文書ＩＤと同じファイル名のＴＩＦＦファイルをハードディスク４１から読み出して、このＴＩＦＦファイル中にあるＭＭＲ圧縮データをプリント出力部７６へ渡し、プリント出力部７６はこのＭＭＲ圧縮データを伸長して、伸長した２値画像データをプリントエンジン３９を使用して紙７７にプリント（ステップＳ２１１）する。
【０１２０】
プリントが完了すると、文書ＩＤ−ユーザＩＤ対応テーブル中のＩＰ携帯電話２３の所有ユーザのユーザＩＤに対応したプリント回数を１だけ減算（ステップＳ２１２）する。
【０１２１】
文書ＩＤ−ユーザＩＤ対応テーブル中のユーザＩＤに対応したプリント回数がゼロかを判断し（ステップＳ２１３）、プリント回数がゼロでない場合（ステップＳ２１３、ＮＯ）は、ステップＳ２０６に戻りプリント回数がゼロと判断するまでＢｌｕｅｔｏｏｔｈの電波信号の検出判断を繰り返す。
【０１２２】
その後、プリント回数がゼロでないＩＰ携帯電話２３の所有ユーザが再度、受信文書をプリントするために、ＩＰ携帯電話２３を持ってＩＰ−ＦＡＸ２０の前に移動すると、ＩＰ−ＦＡＸ２０は２値画像データをプリントして、文書ＩＤ−ユーザＩＤ対応テーブル中のＩＰ携帯電話２３の所有ユーザのユーザＩＤに対応したプリント回数を１だけ減算する。ここで、ＩＰ携帯電話２３の所有ユーザのユーザＩＤに対応したプリント回数がゼロになる。
【０１２３】
プリント回数がゼロの場合（ステップＳ２１３、ＹＥＳ）は、文書ＩＤ−ユーザＩＤ対応テーブル中のＩＰ携帯電話２３の所有ユーザのユーザＩＤに対応したプリント完了フラグをオン（１の値をセットする）（ステップＳ２１４）にする。
【０１２４】
ＩＰ−ＦＡＸ２０は文書ＩＤ−ユーザＩＤ対応テーブル中のプリント完了フラグが全てオンかどうか判断し（ステップＳ２１５）、全てがオンでない場合（ステップＳ２１５、ＮＯ）は、ステップＳ２０６に戻りプリント完了フラグが全てオンと判断するまでＢｌｕｅｔｏｏｔｈの電波信号の検出判断を繰り返す。
【０１２５】
次にＩＰ携帯電話２４がＩＰ−ＦＡＸ２０に近づくと、ＩＰ携帯電話からのＢｌｕｅｔｏｏｔｈの電波信号を検出して（ステップＳ２０６）Ｂｌｕｅｔｏｏｔｈ通信リンクが自動的に確立され、Ｂｌｕｅｔｏｏｔｈのインクワイアリ手順によりＩＰ−ＦＡＸ２０はＩＰ携帯電話２４からユーザ名を取得（ステップＳ２０７）する。そして、ＩＰ−ＦＡＸ２０はＰＩＮコードを用いた認証手順によりＩＰ携帯電話２４を認証（ステップＳ２０８）する。
【０１２６】
ＩＰ携帯電話２４は文書ＩＤを含めたプリントコマンドをＢｌｕｅｔｏｏｔｈ通信によりＩＰ−ＦＡＸ２０へ送信し、ＩＰ−ＦＡＸ２０は文書ＩＤを含んだプリントコマンドを受信（ステップＳ２１０）する。ＩＰ−ＦＡＸ２０はこの文書ＩＤに対応した２値画像データをプリント（ステップＳ２１１）し、文書ＩＤ−ユーザＩＤ対応テーブル中のＩＰ携帯電話２４の所有ユーザのユーザＩＤに対応したプリント回数を１だけ減算する。
【０１２７】
その後、ＩＰ携帯電話２４の所有ユーザが再度、受信文書をプリントするために、ＩＰ携帯電話２４を持ってＩＰ−ＦＡＸ２０の前に移動すると、ＩＰ−ＦＡＸ２０は２値画像データをプリントして、文書ＩＤ−ユーザＩＤ対応テーブル中のＩＰ携帯電話２４の所有ユーザのユーザＩＤに対応したプリント回数を１だけ減算する（ステップＳ２１２）。これを繰り返してＩＰ携帯電話２４の所有ユーザのユーザＩＤに対応したプリント回数がゼロになったら（ステップＳ２１３、ＹＥＳ）、文書ＩＤ−ユーザＩＤ対応テーブル中のＩＰ携帯電話２４の所有ユーザのユーザＩＤに対応したプリント完了フラグをオンにする（１の値をセットする）（ステップＳ２１４）。
【０１２８】
プリント完了フラグが全てオンであったなら（ステップＳ２１５、ＹＥＳ）、指定された全てのユーザＩＤを持ったユーザがＩＰ−ＦＡＸ１０から受信した文書をプリントしたと判断して、ハードディスク４１に保存されたこの文書の文書ＩＤと同じファイル名のＴＩＦＦファイルを削除（ステップＳ２１６）し、フラッシュＲＯＭ３２に記憶された図１３に示した文書ＩＤ−ユーザＩＤ対応テーブルを消去（ステップＳ２１７）する。
【０１２９】
本実施形態における、ＩＰ−ＦＡＸ１０のユーザが指定した複数のユーザの中で、誰か１人に原稿画像を渡せばよい場合について説明する。
【０１３０】
ＩＰ−ＦＡＸ１０のユーザは個別送信モードを選択し、さらに送信画像のプリント回数を１回のみに制限する１回プリントモードを選択する。そして、ＩＰ−ＦＡＸ１０のユーザは電子電話帳により、ＩＰ携帯電話２３の所有ユーザとＩＰ携帯電話２４の所有ユーザを選択する。続いて、ＩＰ−ＦＡＸ１０のユーザは予め登録されている送信者アイコンの一覧から自分のユーザ名のアイコンを選択する。
【０１３１】
続いて、ＩＰ−ＦＡＸ１０のユーザが原稿を原稿用スキャナ３７にセットして、ＩＰ−ＦＡＸ２０のＦＡＸ番号を入力してスタートキーを押すと、ＩＰ−ＦＡＸ１０は原稿用スキャナ３７から原稿画像を読み取って、ＩＰ−ＦＡＸ２０と接続する。そして、ＩＰ−ＦＡＸ１０は文書ＩＤ、送信者のユーザ名、１回プリントモードの識別情報、ＩＰ携帯電話２３の所有ユーザのユーザＩＤ、ＩＰ携帯電話２３の電話番号、ＩＰ携帯電話２４の所有ユーザのユーザＩＤ、ＩＰ携帯電話２４の電話番号をＮＳＳコマンドに含めてＩＰ−ＦＡＸ２０へ送信する。
【０１３２】
なお、ユーザＩＤとＩＰ携帯電話の電話番号はユーザ名に対応して電子電話帳に予め登録されている。ＩＰ−ＦＡＸ２０では、このＮＳＳコマンドを受信すると、これに含まれている文書ＩＤ、送信者のユーザ名、ＩＰ携帯電話２３の所有ユーザのユーザＩＤ、ＩＰ携帯電話２３の電話番号、ＩＰ携帯電話２４の所有ユーザのユーザＩＤ、ＩＰ携帯電話２４の電話番号を文書ＩＤ−ユーザＩＤ対応テーブルとしてフラッシュＲＯＭ３２に記憶する。この文書ＩＤ−ユーザＩＤ対応テーブルは、図７にてプリント完了フラグを省いたものである。
【０１３３】
続いて、ＩＰ−ＦＡＸ２０はＭＭＲ圧縮された２値画像データを受信すると、これをＴＩＦＦファイルにしてハードディスク４１に記憶、保存する。続いて、ＩＰ−ＦＡＸ２０は、ＩＰ携帯電話２３とＩＰ携帯電話２４へ文書ＩＤと送信者のユーザ名をＳＩＰのインスタントメッセージを使用して送信する。
【０１３４】
ＩＰ携帯電話２３とＩＰ携帯電話２４はこのメッセージを受信すると、このメッセージに含まれた文書ＩＤと送信者のユーザ名をフラッシュＲＯＭ等の不揮発性メモリに記憶するとともに、ＩＰ−ＦＡＸ２０が送信者＝Ａｌｉｃｅから文書を受信したことを表示部に表示する。
【０１３５】
ＩＰ携帯電話２３の所有ユーザが文書ＩＤの通知メッセージによりＩＰ−ＦＡＸ２０が送信者＝Ａｌｉｃｅから文書を受信したことを認知すると、ＩＰ−ＦＡＸ２０にて受信文書をプリントするために、ＩＰ携帯電話２３を持ってＩＰ−ＦＡＸ２０の前に移動する。
【０１３６】
ＩＰ携帯電話２３がＩＰ−ＦＡＸ２０に近づくと、Ｂｌｕｅｔｏｏｔｈ通信リンクが自動的に確立され、ＩＰ−ＦＡＸ２０はＰＩＮコードを用いた認証手順によりＩＰ携帯電話２３を認証する。そして、ＩＰ携帯電話２３は文書ＩＤを含めたプリントコマンドをＢｌｕｅｔｏｏｔｈ通信によりＩＰ−ＦＡＸ２０へ送信し、ＩＰ−ＦＡＸ２０はこの文書ＩＤに対応した２値画像データをプリントする。
【０１３７】
プリントが完了すると、ＩＰ−ＦＡＸ２０はＩＰ携帯電話２３と ＩＰ携帯電話２４へ文書ＩＤの削除コマンドをＳＩＰのインスタントメッセージを使用して送信する。ＩＰ携帯電話２３と ＩＰ携帯電話２４はこのメッセージを受信すると、フラッシュＲＯＭ等の不揮発性メモリに記憶されたこのメッセージに含まれた文書ＩＤとそれと対で記憶された送信者のユーザ名を消去する。プリントコマンドを送信していないＩＰ携帯電話２４は、ＩＰ−ＦＡＸ２０が先に受信を通知した文書がプリントされたことを表示部に表示する。
【０１３８】
続いて、ＩＰ−ＦＡＸ２０はハードディスク４１に保存されたこの文書の文書ＩＤと同じファイル名のＴＩＦＦファイルを削除し、また、フラッシュＲＯＭ３２に記憶された文書ＩＤ−ユーザＩＤ対応テーブルを消去する。
【０１３９】
図１５に本実施形態において上述したＩＰ−ＦＡＸ２０（受信側）の動作フローを示す。ＩＰ−ＦＡＸ１０（送信側）のユーザが指定した複数のユーザの中で、誰か１人に原稿画像を渡せばよい場合についてである。
【０１４０】
ＩＰ−ＦＡＸ２０はＩＰ−ＦＡＸ１０から着呼があったかを判断し（ステップＳ３０１）、着呼がない場合（ステップＳ３０１、ＮＯ）は、着呼があるまで判断を繰り返す。
【０１４１】
着呼があった場合（ステップＳ３０１、ＹＥＳ）、文書付属情報記憶部７２は、ＩＰ−ＦＡＸ１０から送信されたＮＳＳコマンドに含まれる、文書ＩＤ、送信者のユーザ名、１回プリントモードの識別情報、ＩＰ携帯電話２３の所有ユーザのユーザＩＤ、ＩＰ携帯電話２３の電話番号、ＩＰ携帯電話２４の所有ユーザのユーザＩＤ、ＩＰ携帯電話２４の電話番号を文書ＩＤと対応付けて、また各ユーザＩＤに対応した初期値ゼロをセットしたプリント完了フラグも付加して、これらのデータを文書ＩＤ−ユーザＩＤ対応テーブルとしてフラッシュＲＯＭ３２に記憶する（ステップＳ３０２）。この文書ＩＤ−ユーザＩＤ対応テーブルは、図７にてプリント完了フラグを省いたものである。
【０１４２】
ＩＰ−ＦＡＸ２０の文書受信部７０がＭＭＲ圧縮された２値画像データを受信すると、文書記憶部７１は文書ＩＤを文字列にして、この文字列をＴＩＦＦファイルのファイル名にする。そして、文書記憶部７１はＭＭＲ圧縮データをこのファイル名のＴＩＦＦファイルにしてハードディスク４１に記憶、保存する（ステップＳ３０３）。
【０１４３】
ＩＰ−ＦＡＸ２０のメッセージ送信部７３は、先にフラッシュＲＯＭ３２に記憶させた文書データの受信の通知先であるＩＰ携帯電話２３に文書ＩＤと送信者のユーザ名をＳＩＰのインスタントメッセージを使用して送信する（ステップＳ３０４）。
【０１４４】
文書ＩＤを全ての通知先に送信したかを判断し（ステップＳ３０５）、全てに送信していない場合（ステップＳ３０５、ＮＯ）、全ての通知先に文書ＩＤを送信するまで繰り返す。全ての送信先に文書ＩＤを送信（ステップＳ３０５、ＹＥＳ）したら、次にＩＰ携帯電話からのＢｌｕｅｔｏｏｔｈの電波信号を検出したかを判断する（ステップＳ３０６）。
【０１４５】
ＩＰ携帯電話２３の所有ユーザがＩＰ携帯電話２３を持ってＩＰ−ＦＡＸ２０の前に行くと、ＩＰ携帯電話２３とＩＰ−ＦＡＸ２０はそれぞれＢｌｕｅｔｏｏｔｈの電波信号を検出して、Ｂｌｕｅｔｏｏｔｈ規格に従った通信手順を開始することになる。
【０１４６】
ＩＰ携帯電話からのＢｌｕｅｔｏｏｔｈの電波信号を検出しない場合（ステップＳ３０６、ＮＯ）は、電波信号を検出するまで繰り返す。ＩＰ携帯電話からのＢｌｕｅｔｏｏｔｈの電波信号を検出した場合（ステップＳ３０６、ＹＥＳ）は、Ｂｌｕｅｔｏｏｔｈのインクワイアリ手順によりＩＰ−ＦＡＸ２０はＩＰ携帯電話２３からユーザ名を取得（ステップＳ３０７）する。ここで、このユーザ名はＩＰ携帯電話２３の電話番号である。
【０１４７】
そして、ＩＰ−ＦＡＸ２０はＰＩＮコードを用いた認証手順によりＩＰ携帯電話２３を認証（ステップＳ３０８）する。なお、ＰＩＮコードとして使用するＩＰ携帯電話２３の所有ユーザのユーザＩＤは文書ＩＤ−ユーザＩＤ対応テーブルとしてフラッシュＲＯＭ３２に記憶されたものであり、先にインクワイアリ手順により取得したＩＰ携帯電話２３の電話番号から特定できる。
【０１４８】
次に認証に成功したかを判断し（ステップＳ３０９）、認証に失敗した場合（ステップＳ３０９、ＮＯ）は、ステップＳ３０６に戻りＢｌｕｅｔｏｏｔｈの電波信号の検出からやり直す。
【０１４９】
認証に成功（ステップＳ３０９、ＹＥＳ）したら、ＩＰ携帯電話２３はＢｌｕｅｔｏｏｔｈ通信コネクションを確立して、先にＩＰ−ＦＡＸ２０からＳＩＰのインスタントメッセージにより受信した文書ＩＤをプリントコマンドに含めて送信するので、ＩＰ−ＦＡＸ２０は文書ＩＤを含んだプリントコマンドを受信（ステップＳ３１０）する。
【０１５０】
ＩＰ−ＦＡＸ２０は、このプリントコマンドを受信すると、これに含まれた文書ＩＤと同じファイル名のＴＩＦＦファイルをハードディスク４１から読み出して、このＴＩＦＦファイル中にあるＭＭＲ圧縮データをプリント出力部７６へ渡し、プリント出力部７６はこのＭＭＲ圧縮データを伸長して、伸長した２値画像データをプリントエンジン３９を使用して紙７７にプリント（ステップＳ３１１）する。
【０１５１】
プリントが完了すると、ＩＰ−ＦＡＸ２０はＩＰ携帯電話２３と ＩＰ携帯電話２４へ文書ＩＤの削除コマンドをＳＩＰのインスタントメッセージを使用して送信（ステップＳ３１２）する。ＩＰ携帯電話２３と ＩＰ携帯電話２４はこのメッセージを受信すると、フラッシュＲＯＭ等の不揮発性メモリに記憶されたこのメッセージに含まれた文書ＩＤとそれと対で記憶された送信者のユーザ名を消去する。プリントコマンドを送信していないＩＰ携帯電話２４は、ＩＰ−ＦＡＸ２０が先に受信を通知した文書がプリントされたことを表示部に表示する。
【０１５２】
続いて、ＩＰ−ＦＡＸ２０はハードディスク４１に保存されたこの文書の文書ＩＤと同じファイル名のＴＩＦＦファイルを削除（ステップＳ３１３）し、フラッシュＲＯＭ３２に記憶された文書ＩＤ−ユーザＩＤ対応テーブルを消去（ステップＳ３１４）して終了する。
【０１５３】
本実施形態における、ＩＰ−ＦＡＸ２０から文書の受信通知を受けたＩＰ携帯電話の所有ユーザが、文書ＩＤを他のユーザの端末に譲渡して、他のユーザが代わりにプリントする場合について説明する。
【０１５４】
本実施形態における、機器接続例を図１６に示す。ＩＰネットワーク１にはＳＩＰサーバ２が接続されており、拠点Ａに存在するＩＰ−ＦＡＸ１０、ＰＣ１１、アクセスポイント（ＡＰ）１２、ＩＰ携帯電話１３等と拠点Ｂに存在するＩＰ−ＦＡＸ２０、ＰＣ２１、アクセスポイント（ＡＰ）２２、ＩＰ携帯電話２３、ＩＰ携帯電話２４、ＩＰ携帯電話２５等は、お互いにＩＰネットワーク１を介して通信できるようになっている。なお、ＩＰ携帯電話１３とアクセスポイント（ＡＰ）１２との間、およびＩＰ携帯電話２３、ＩＰ携帯電話２４、ＩＰ携帯電話２５とアクセスポイント（ＡＰ）２２との間はＩＥＥＥ（Ｉｎｓｔｉｔｕｔｅ ｏｆ Ｅｌｅｃｔｒｉｃａｌ ａｎｄ Ｅｌｅｃｔｒｏｎｉｃｓ Ｅｎｇｉｎｅｅｒｓ）８０２．１１ｂ規格の無線ＬＡＮで接続している。
【０１５５】
図１６は図１に対して、ＩＰ携帯電話２５が追加されている。また、ＩＰ−ＦＡＸ２０にはＩＰ携帯電話２５の所有ユーザのユーザ名、ＩＰ携帯電話２５の所有ユーザのユーザＩＤ、ＩＰ携帯電話２５の電話番号が対応付けて電子電話帳に予め登録されている。
【０１５６】
ＩＰ−ＦＡＸ１０のユーザは、拠点ＢのＩＰ携帯電話２３の所有ユーザとＩＰ携帯電話２４の所有ユーザに原稿画像を渡すために、個別送信モードを選択し、電子電話帳により、ＩＰ携帯電話２３の所有ユーザとＩＰ携帯電話２４の所有ユーザを選択する。
【０１５７】
続いて、ＩＰ−ＦＡＸ１０のユーザは予め登録されている送信者アイコンの一覧から自分のユーザ名のアイコンを選択する。
【０１５８】
続いて、ＩＰ−ＦＡＸ１０のユーザが原稿を原稿用スキャナ３７にセットして、ＩＰ−ＦＡＸ２０のＦＡＸ番号を入力してスタートキーを押すと、ＩＰ−ＦＡＸ１０は原稿用スキャナ３７から原稿画像を読み取って、ＩＰ−ＦＡＸ２０と接続する。そして、ＩＰ−ＦＡＸ１０は文書ＩＤ、送信者のユーザ名、ＩＰ携帯電話２３の所有ユーザのユーザＩＤ、ＩＰ携帯電話２３の電話番号、ＩＰ携帯電話２４の所有ユーザのユーザＩＤ、ＩＰ携帯電話２４の電話番号をＮＳＳコマンドに含めてＩＰ−ＦＡＸ２０へ送信する。
【０１５９】
なお、ユーザＩＤとＩＰ携帯電話の電話番号はユーザ名に対応して電子電話帳に予め登録されている。
【０１６０】
ＩＰ−ＦＡＸ２０では、このＮＳＳコマンドを受信すると、これに含まれている文書ＩＤ、送信者のユーザ名、ＩＰ携帯電話２３の所有ユーザのユーザＩＤ、ＩＰ携帯電話２３の電話番号、ＩＰ携帯電話２４の所有ユーザのユーザＩＤ、ＩＰ携帯電話２４の電話番号を各ユーザＩＤに対応した初期値ゼロをセットしたプリント完了フラグも付加して、これらのデータを文書ＩＤ−ユーザＩＤ対応テーブルとしてフラッシュＲＯＭ３２に記憶する。
【０１６１】
続いて、ＩＰ−ＦＡＸ２０はＭＭＲ圧縮された２値画像データを受信すると、これをＴＩＦＦファイルにしてハードディスク４１に記憶、保存する。続いて、ＩＰ−ＦＡＸ２０は文書データの受信の通知先であるＩＰ携帯電話２３とＩＰ携帯電話２４に文書ＩＤと送信者のユーザ名をＳＩＰのインスタントメッセージを使用して送信する。
【０１６２】
ＩＰ携帯電話２３の所有ユーザがＩＰ−ＦＡＸ２０が送信者＝Ａｌｉｃｅから文書を受信したことを認知すると、文書ＩＤをＩＰ携帯電話２５へ譲渡するための操作を行う。すなわち、ＩＰ携帯電話２３の所有ユーザがプリント権限の譲渡モードを選択して、ＩＰ携帯電話２５の電話番号と文書ＩＤを指定して、ＩＰ−ＦＡＸ２０への送信操作を行うと、ＩＰ携帯電話２３はＩＰ携帯電話２５の電話番号と文書ＩＤを含めたプリント権限譲渡コマンドをＳＩＰのインスタントメッセージを使用してＩＰ−ＦＡＸ２０へ送信する。送信が終了すると、ＩＰ携帯電話２３は記憶していた文書ＩＤとそれと対で記憶された送信者のユーザ名を消去する。
【０１６３】
ＩＰ−ＦＡＸ２０はプリント権限譲渡コマンドを受信すると、電子電話帳を参照して、このコマンドに含まれたＩＰ携帯電話２５の電話番号に対応したユーザＩＤを取得する。そして、ＩＰ−ＦＡＸ２０は文書ＩＤ−ユーザＩＤ対応テーブル中にある、プリント権限譲渡コマンドに含まれた文書ＩＤと対応付けられたＩＰ携帯電話２３の電話番号をＩＰ携帯電話２５の電話番号で置き換え、同じ文書ＩＤとＩＰ携帯電話２３の電話番号に対応付けられたユーザＩＤを先に電子電話帳から取得したＩＰ携帯電話２５の電話番号に対応したユーザＩＤで置き換える。図１７に、この時の文書ＩＤ−ユーザＩＤ対応テーブルの例を示す。
【０１６４】
次に、ＩＰ−ＦＡＸ２０はＩＰ携帯電話２５の電話番号を使用して、ＩＰ携帯電話２５へ上記の文書ＩＤと送信者のユーザ名をＳＩＰのインスタントメッセージを使用して送信する。ＩＰ携帯電話２５はこのメッセージを受信すると、このメッセージに含まれた文書ＩＤと送信者のユーザ名をフラッシュＲＯＭ等の不揮発性メモリに記憶するとともに、ＩＰ−ＦＡＸ２０が送信者＝Ａｌｉｃｅから文書を受信したことを表示部に表示する。
【０１６５】
ＩＰ携帯電話２５の所有ユーザが文書ＩＤの通知メッセージによりＩＰ−ＦＡＸ２０が送信者＝Ａｌｉｃｅから文書を受信したことを認知すると、ＩＰ−ＦＡＸ２０にて受信文書をプリントするために、ＩＰ携帯電話２５を持ってＩＰ−ＦＡＸ２０の前に移動する。
【０１６６】
ＩＰ携帯電話２５がＩＰ−ＦＡＸ２０に近づくと、Ｂｌｕｅｔｏｏｔｈ通信リンクが自動的に確立され、ＩＰ−ＦＡＸ２０はＰＩＮコードを用いた認証手順によりＩＰ携帯電話２５を認証する。そして、ＩＰ携帯電話２５は文書ＩＤを含めたプリントコマンドをＢｌｕｅｔｏｏｔｈ通信によりＩＰ−ＦＡＸ２０へ送信し、ＩＰ−ＦＡＸ２０はこの文書ＩＤに対応した２値画像データをプリントする。そして、文書ＩＤ−ユーザＩＤ対応テーブル中のＩＰ携帯電話２５の所有ユーザのユーザＩＤに対応したプリント完了フラグをオンにする（１の値をセットする）。
【０１６７】
プリントが完了すると、ＩＰ−ＦＡＸ２０はＩＰ携帯電話２５へ文書ＩＤの削除コマンドをＳＩＰのインスタントメッセージを使用して送信する。ＩＰ携帯電話２５はこのメッセージを受信すると、フラッシュＲＯＭ等の不揮発性メモリに記憶されたこのメッセージに含まれた文書ＩＤとそれと対で記憶された送信者のユーザ名を消去する。
【０１６８】
続いて、ＩＰ−ＦＡＸ２０はＩＰ−ＦＡＸ１０から指定された全てのユーザＩＤを持ったユーザがＩＰ−ＦＡＸ１０から受信した文書をプリントしたと判断したら、ハードディスク４１に保存されたこの文書の文書ＩＤと同じファイル名のＴＩＦＦファイルを削除し、また、フラッシュＲＯＭ３２に記憶された文書ＩＤ−ユーザＩＤ対応テーブルを消去する。
【０１６９】
なお、ＩＰ−ＦＡＸ２０は上記の処理に係わった、送信元端末であるＩＰ−ＦＡＸ１０の電話番号、文書の受信日時、文書ＩＤ、送信者のユーザ名、ユーザＩＤ、受信の通知先である電話番号、プリント日時をプリント履歴としてフラッシュＲＯＭ３２に記憶していき、この時点で、このプリント履歴情報を文書の送信元端末であるＩＰ−ＦＡＸ１０へＳＩＰのインスタントメッセージを使用して送信する。
【０１７０】
本実施形態における、上記のＩＰ−ＦＡＸ２０（受信側）の動作フローを図１８に示す。ＩＰ−ＦＡＸ２０から文書の受信通知を受けたＩＰ携帯電話の所有ユーザが、文書ＩＤを他のユーザの端末に譲渡して、他のユーザが代わりにプリントする場合についてである。
【０１７１】
ＩＰ−ＦＡＸ２０はＩＰ−ＦＡＸ１０から着呼があったかを判断し（ステップＳ４０１）、着呼がない場合（ステップＳ４０１、ＮＯ）は、着呼があるまで判断を繰り返す。
【０１７２】
着呼があった場合（ステップＳ４０１、ＹＥＳ）、文書付属情報記憶部７２は、ＩＰ−ＦＡＸ１０から送信されたＮＳＳコマンドに含まれる、文書ＩＤ、送信者のユーザ名、ＩＰ携帯電話２３の所有ユーザのユーザＩＤ、ＩＰ携帯電話２３の電話番号、ＩＰ携帯電話２４の所有ユーザのユーザＩＤ、ＩＰ携帯電話２４の電話番号を文書ＩＤと対応付けて、また各ユーザＩＤに対応した初期値ゼロをセットしたプリント完了フラグも付加して、これらのデータを文書ＩＤ−ユーザＩＤ対応テーブルとしてフラッシュＲＯＭ３２に記憶する（ステップＳ４０２）。
【０１７３】
ＩＰ−ＦＡＸ２０の文書受信部７０がＭＭＲ圧縮された２値画像データを受信すると、文書記憶部７１は文書ＩＤを文字列にして、この文字列をＴＩＦＦファイルのファイル名にする。そして、文書記憶部７１はＭＭＲ圧縮データをこのファイル名のＴＩＦＦファイルにしてハードディスク４１に記憶、保存する（ステップＳ４０３）。
【０１７４】
ＩＰ−ＦＡＸ２０のメッセージ送信部７３は、先にフラッシュＲＯＭ３２に記憶させた文書データの受信の通知先であるＩＰ携帯電話２３に文書ＩＤと送信者のユーザ名をＳＩＰのインスタントメッセージを使用して送信する（ステップＳ４０４）。
【０１７５】
文書ＩＤを全ての通知先に送信したかを判断し（ステップＳ４０５）、全てに送信していない場合（ステップＳ４０５、ＮＯ）、全ての通知先に文書ＩＤを送信するまで繰り返す。全ての送信先に文書ＩＤを送信（ステップＳ４０５、ＹＥＳ）したら、次にプリント権限譲渡コマンドを受信したかを判断する（ステップＳ４０６）。プリント権限受信コマンドを受信しない場合（ステップＳ４０６、ＮＯ）は受信するまで判断を繰り返す。
【０１７６】
ＩＰ携帯電話２３の所有ユーザがＩＰ−ＦＡＸ２０が送信者＝Ａｌｉｃｅから文書を受信したことを認知すると、文書ＩＤをＩＰ携帯電話２５へ譲渡するための操作を行う。すなわち、ＩＰ携帯電話２３の所有ユーザがプリント権限の譲渡モードを選択して、ＩＰ携帯電話２５の電話番号と文書ＩＤを指定して、ＩＰ−ＦＡＸ２０への送信操作を行うと、ＩＰ携帯電話２３はＩＰ携帯電話２５の電話番号と文書ＩＤを含めたプリント権限譲渡コマンドをＳＩＰのインスタントメッセージを使用してＩＰ−ＦＡＸ２０へ送信する。送信が終了すると、ＩＰ携帯電話２３は記憶していた文書ＩＤとそれと対で記憶された送信者のユーザ名を消去する。
【０１７７】
プリント権限譲渡コマンドを受信した場合（ステップＳ４０６、ＹＥＳ）は、ＩＰ−ＦＡＸ２０は電子電話帳を参照して、このコマンドに含まれたＩＰ携帯電話２５の電話番号に対応したユーザＩＤを取得（ステップＳ４０７）する。そして、ＩＰ−ＦＡＸ２０は文書ＩＤ−ユーザＩＤ対応テーブル中にある、プリント権限譲渡コマンドに含まれた文書ＩＤと対応付けられたＩＰ携帯電話２３の電話番号をＩＰ携帯電話２５の電話番号で置き換え、同じ文書ＩＤとＩＰ携帯電話２３の電話番号に対応付けられたユーザＩＤを先に電子電話帳から取得したＩＰ携帯電話２５の電話番号に対応したユーザＩＤで置き換える（ステップＳ４０８）。
【０１７８】
次に、ＩＰ−ＦＡＸ２０はＩＰ携帯電話２５の電話番号を使用して、ＩＰ携帯電話２５へ上記の文書ＩＤと送信者のユーザ名をＳＩＰのインスタントメッセージを使用して送信する（ステップＳ４０９）。ＩＰ携帯電話２５はこのメッセージを受信すると、このメッセージに含まれた文書ＩＤと送信者のユーザ名をフラッシュＲＯＭ等の不揮発性メモリに記憶するとともに、ＩＰ−ＦＡＸ２０が送信者＝Ａｌｉｃｅから文書を受信したことを表示部に表示する。
【０１７９】
次にＩＰ携帯電話からのＢｌｕｅｔｏｏｔｈの電波信号を検出したかを判断する（ステップＳ４１０）。
【０１８０】
ＩＰ携帯電話２５の所有ユーザがＩＰ携帯電話２５を持ってＩＰ−ＦＡＸ２０の前に行くと、ＩＰ携帯電話２５とＩＰ−ＦＡＸ２０はそれぞれＢｌｕｅｔｏｏｔｈの電波信号を検出して、Ｂｌｕｅｔｏｏｔｈ規格に従った通信手順を開始することになる。
【０１８１】
ＩＰ携帯電話からのＢｌｕｅｔｏｏｔｈの電波信号を検出しない場合（ステップＳ４１０、ＮＯ）は、電波信号を検出するまで繰り返す。ＩＰ携帯電話からのＢｌｕｅｔｏｏｔｈの電波信号を検出した場合（ステップＳ４１０、ＹＥＳ）は、Ｂｌｕｅｔｏｏｔｈのインクワイアリ手順によりＩＰ−ＦＡＸ２０はＩＰ携帯電話２５からユーザ名を取得（ステップＳ４１１）する。ここで、このユーザ名はＩＰ携帯電話２５の電話番号である。
【０１８２】
そして、ＩＰ−ＦＡＸ２０はＰＩＮコードを用いた認証手順によりＩＰ携帯電話２５を認証（ステップＳ４１２）する。なお、ＰＩＮコードとして使用するＩＰ携帯電話２５の所有ユーザのユーザＩＤは文書ＩＤ−ユーザＩＤ対応テーブルとしてフラッシュＲＯＭ３２に記憶されたものであり、先にインクワイアリ手順により取得したＩＰ携帯電話２５の電話番号から特定できる。
【０１８３】
次に認証に成功したかを判断し（ステップＳ４１３）、認証に失敗した場合（ステップＳ４１３、ＮＯ）は、ステップＳ４１０に戻りＢｌｕｅｔｏｏｔｈの電波信号の検出からやり直す。
【０１８４】
認証に成功（ステップＳ４１３、ＹＥＳ）したら、ＩＰ携帯電話２５はＢｌｕｅｔｏｏｔｈ通信コネクションを確立して、先にＩＰ−ＦＡＸ２０からＳＩＰのインスタントメッセージにより受信した文書ＩＤをプリントコマンドに含めて送信するので、ＩＰ−ＦＡＸ２０はプリントコマンドを受信（ステップＳ４１４）する。
【０１８５】
ＩＰ−ＦＡＸ２０は、このプリントコマンドを受信すると、これに含まれた文書ＩＤと同じファイル名のＴＩＦＦファイルをハードディスク４１から読み出して、このＴＩＦＦファイル中にあるＭＭＲ圧縮データをプリント出力部７６へ渡し、プリント出力部７６はこのＭＭＲ圧縮データを伸長して、伸長した２値画像データをプリントエンジン３９を使用して紙７７にプリント（ステップＳ４１５）する。
【０１８６】
プリントが完了すると、文書ＩＤ−ユーザＩＤ対応テーブル中のＩＰ携帯電話２５の所有ユーザのユーザＩＤに対応したプリント完了フラグをオン（１の値をセットする）（ステップＳ４１６）にする。
【０１８７】
続いて、ＩＰ−ＦＡＸ２０のメッセージ送信部７３は、ＩＰ携帯電話２５に文書ＩＤの削除コマンドをＳＩＰのインスタントメッセージを使用して送信（ステップＳ４１７）する。
【０１８８】
ＩＰ−ＦＡＸ２０は文書ＩＤ−ユーザＩＤ対応テーブル中のプリント完了フラグが全てオンかどうか判断し（ステップＳ４１８）、全てがオンでない場合（ステップＳ４１８、ＮＯ）は、ステップＳ４１０に戻りプリント完了フラグが全てオンになるまでＢｌｕｅｔｏｏｔｈの電波信号の検出判断を繰り返す。プリント完了フラグが全てオンであったなら（ステップＳ４１８、ＹＥＳ）、指定された全てのユーザＩＤを持ったユーザがＩＰ−ＦＡＸ１０から受信した文書をプリントしたと判断して、ハードディスク４１に保存されたこの文書の文書ＩＤと同じファイル名のＴＩＦＦファイルを削除（ステップＳ４１９）し、フラッシュＲＯＭ３２に記憶された図１７に示した文書ＩＤ−ユーザＩＤ対応テーブルを消去（ステップＳ４２０）する。
【０１８９】
ＩＰ−ＦＡＸ２０は上記の処理に係わった、送信元端末であるＩＰ−ＦＡＸ１０の電話番号、文書の受信日時、文書ＩＤ、送信者のユーザ名、ユーザＩＤ、受信の通知先である電話番号、プリント日時をプリント履歴としてフラッシュＲＯＭ３２に記憶していき、文書ＩＤ−ユーザＩＤ対応テーブルを消去した時点で、プリント履歴情報を文書の送信元端末であるＩＰ−ＦＡＸ１０へＳＩＰのインスタントメッセージを使用して送信（ステップＳ４２１）して、終了する。
【０１９０】
本実施形態における、送信した文書の保存期限をＩＰ−ＦＡＸ１０のユーザが指定し、受信端末はこの保存期限を過ぎると受信して保存していた文書を削除する場合について説明する。
【０１９１】
ＩＰ−ＦＡＸ１０のユーザは個別送信モードを選択して、さらに文書（送信画像）の保存期限を指定する。そして、ＩＰ−ＦＡＸ１０のユーザは電子電話帳により、ＩＰ携帯電話２３の所有ユーザとＩＰ携帯電話２４の所有ユーザを選択する。続いて、ＩＰ−ＦＡＸ１０のユーザは予め登録されている送信者アイコンの一覧から自分のユーザ名のアイコンを選択する。
【０１９２】
続いて、ＩＰ−ＦＡＸ１０のユーザが原稿を原稿用スキャナ３７にセットして、ＩＰ−ＦＡＸ２０のＦＡＸ番号を入力してスタートキーを押すと、ＩＰ−ＦＡＸ１０は原稿用スキャナ３７から原稿画像を読み取って、ＩＰ−ＦＡＸ２０と接続する。そして、ＩＰ−ＦＡＸ１０は文書ＩＤ、送信者のユーザ名、文書の保存期限、ＩＰ携帯電話２３の所有ユーザのユーザＩＤ、ＩＰ携帯電話２３の電話番号、ＩＰ携帯電話２４の所有ユーザのユーザＩＤ、ＩＰ携帯電話２４の電話番号をＮＳＳコマンドに含めてＩＰ−ＦＡＸ２０へ送信する。
【０１９３】
なお、ユーザＩＤとＩＰ携帯電話の電話番号はユーザ名に対応して電子電話帳に予め登録されている。
【０１９４】
ＩＰ−ＦＡＸ２０では、このＮＳＳコマンドを受信すると、これに含まれている文書ＩＤ、送信者のユーザ名、文書の保存期限、ＩＰ携帯電話２３の所有ユーザのユーザＩＤ、ＩＰ携帯電話２３の電話番号、ＩＰ携帯電話２４の所有ユーザのユーザＩＤ、ＩＰ携帯電話２４の電話番号を各ユーザＩＤに対応した初期値ゼロをセットしたプリント完了フラグも付加して、これらのデータを文書ＩＤ−ユーザＩＤ対応テーブルとしてフラッシュＲＯＭ３２に記憶する。
【０１９５】
図１９に本実施形態における、文書ＩＤ−ユーザＩＤ対応テーブルを示す。
【０１９６】
なお、この文書ＩＤ−ユーザＩＤ対応テーブルでは、文書の保存期限をプリント期限としている。
【０１９７】
続いて、ＩＰ−ＦＡＸ２０はＭＭＲ圧縮された２値画像データを受信すると、これをＴＩＦＦファイルにしてハードディスク４１に記憶、保存する。続いて、ＩＰ−ＦＡＸ２０はＩＰ携帯電話２３へ文書ＩＤ、送信者のユーザ名、文書の保存期限を、ＩＰ携帯電話２４へ文書ＩＤ、送信者のユーザ名、文書の保存期限を、それぞれＳＩＰのインスタントメッセージを使用して送信する。
【０１９８】
ＩＰ携帯電話２３とＩＰ携帯電話２４はこのメッセージを受信すると、このメッセージに含まれた文書ＩＤ、送信者のユーザ名、文書の保存期限をフラッシュＲＯＭ等の不揮発性メモリに記憶するとともに、ＩＰ−ＦＡＸ２０が送信者＝Ａｌｉｃｅから文書を受信したことを文書の保存期限とともに表示部に表示する。
【０１９９】
ＩＰ携帯電話２３の所有ユーザが文書ＩＤの通知メッセージによりＩＰ−ＦＡＸ２０が送信者＝Ａｌｉｃｅから文書を受信したことを認知すると、ＩＰ−ＦＡＸ２０にて受信文書をプリントするために、ＩＰ携帯電話２３を持ってＩＰ−ＦＡＸ２０の前に移動する。
【０２００】
ＩＰ携帯電話２３がＩＰ−ＦＡＸ２０に近づくと、Ｂｌｕｅｔｏｏｔｈ通信リンクが自動的に確立され、ＩＰ−ＦＡＸ２０はＰＩＮコードを用いた認証手順によりＩＰ携帯電話２３を認証する。そして、ＩＰ携帯電話２３は文書ＩＤを含めたプリントコマンドをＢｌｕｅｔｏｏｔｈ通信によりＩＰ−ＦＡＸ２０へ送信し、ＩＰ−ＦＡＸ２０はこの文書ＩＤに対応した２値画像データをプリントする。プリントが完了すると、文書ＩＤ−ユーザＩＤ対応テーブル中のＩＰ携帯電話２３の所有ユーザのユーザＩＤに対応したプリント完了フラグをオンにする（１の値をセットする）。
【０２０１】
続いて、ＩＰ−ＦＡＸ２０はＩＰ携帯電話２３に文書ＩＤの削除コマンドをＳＩＰのインスタントメッセージを使用して送信する。ＩＰ携帯電話２３はこのメッセージを受信すると、フラッシュＲＯＭ等の不揮発性メモリに記憶されたこのメッセージに含まれた文書ＩＤと、それと対応付けて記憶された送信者のユーザ名および文書の保存期限を消去する。
【０２０２】
ここで、ＩＰ携帯電話２４の所有ユーザが文書をプリントする前に、この文書の保存期限になったとする。ＩＰ−ＦＡＸ２０は文書ＩＤ−ユーザＩＤ対応テーブルのプリント完了フラグをチェックして、オンになっていないＩＰ携帯電話２４に文書の保存切れの情報も含めた文書ＩＤの削除コマンドをＳＩＰのインスタントメッセージを使用して送信する。
【０２０３】
ＩＰ携帯電話２４はこのメッセージを受信すると、ＩＰ−ＦＡＸ２０にて送信者＝Ａｌｉｃｅからの受信文書が保存切れになったことを表示部に表示し、フラッシュＲＯＭ等の不揮発性メモリに記憶されたこのメッセージに含まれた文書ＩＤとそれと対応付けて記憶された送信者のユーザ名、および文書の保存期限を消去する。
【０２０４】
そして、ＩＰ−ＦＡＸ２０は保存切れになった文書の文書ＩＤと同じファイル名のＴＩＦＦファイルをハードディスク４１から削除し、また、フラッシュＲＯＭ３２に記憶された文書ＩＤ−ユーザＩＤ対応テーブルを消去する。
【０２０５】
本実施形態における、送信した文書の保存期限をＩＰ−ＦＡＸ１０のユーザが指定し、受信端末はこの保存期限を過ぎると受信して保存していた文書を削除する場合で、文書の受信通知を受けたＩＰ携帯電話の所有ユーザが、この文書の保存期限を延長する場合について説明する。
【０２０６】
ＩＰ−ＦＡＸ１０のユーザは個別送信モードを選択して、さらに文書（送信画像）の保存期限を指定する。そして、ＩＰ−ＦＡＸ１０のユーザは電子電話帳により、ＩＰ携帯電話２３の所有ユーザとＩＰ携帯電話２４の所有ユーザを選択する。続いて、ＩＰ−ＦＡＸ１０のユーザは予め登録されている送信者アイコンの一覧から自分のユーザ名のアイコンを選択する。
【０２０７】
続いて、ＩＰ−ＦＡＸ１０のユーザが原稿を原稿用スキャナ３７にセットして、ＩＰ−ＦＡＸ２０のＦＡＸ番号を入力してスタートキーを押すと、ＩＰ−ＦＡＸ１０は原稿用スキャナ３７から原稿画像を読み取って、ＩＰ−ＦＡＸ２０と接続する。そして、ＩＰ−ＦＡＸ１０は文書ＩＤ、送信者のユーザ名、文書の保存期限、ＩＰ携帯電話２３の所有ユーザのユーザＩＤ、ＩＰ携帯電話２３の電話番号、ＩＰ携帯電話２４の所有ユーザのユーザＩＤ、ＩＰ携帯電話２４の電話番号をＮＳＳコマンドに含めてＩＰ−ＦＡＸ２０へ送信する。
【０２０８】
なお、ユーザＩＤとＩＰ携帯電話の電話番号はユーザ名に対応して電子電話帳に予め登録されている。
【０２０９】
ＩＰ−ＦＡＸ２０では、このＮＳＳコマンドを受信すると、これに含まれている文書ＩＤ、送信者のユーザ名、文書の保存期限、ＩＰ携帯電話２３の所有ユーザのユーザＩＤ、ＩＰ携帯電話２３の電話番号、ＩＰ携帯電話２４の所有ユーザのユーザＩＤ、ＩＰ携帯電話２４の電話番号を各ユーザＩＤに対応した初期値ゼロをセットしたプリント完了フラグも付加して、これらのデータを文書ＩＤ−ユーザＩＤ対応テーブルとしてフラッシュＲＯＭ３２に記憶する。
【０２１０】
続いて、ＩＰ−ＦＡＸ２０はＭＭＲ圧縮された２値画像データを受信すると、これをＴＩＦＦファイルにしてハードディスク４１に記憶、保存する。続いて、ＩＰ−ＦＡＸ２０はＩＰ携帯電話２３へ文書ＩＤ、送信者のユーザ名、文書の保存期限を、ＩＰ携帯電話２４へ文書ＩＤ、送信者のユーザ名、文書の保存期限を、それぞれＳＩＰのインスタントメッセージを使用して送信する。
【０２１１】
ＩＰ携帯電話２３とＩＰ携帯電話２４はこのメッセージを受信すると、このメッセージに含まれた文書ＩＤ、送信者のユーザ名、文書の保存期限をフラッシュＲＯＭ等の不揮発性メモリに記憶するとともに、ＩＰ−ＦＡＸ２０が送信者＝Ａｌｉｃｅから文書を受信したことを文書の保存期限とともに表示部に表示する。
【０２１２】
ＩＰ携帯電話２３の所有ユーザがＩＰ−ＦＡＸ２０が送信者＝Ａｌｉｃｅから文書を受信したことを表示部の表示から知る。ＩＰ携帯電話２３の所有ユーザは、この時に表示されている文書の保存期限までに文書をプリントすることができないと判断すると、文書の保存期限を延長するための操作を行う。すなわち、ＩＰ携帯電話２３の所有ユーザは文書の保存期限を延長するモードを選択して、延長後の保存期限を入力する。そして、文書ＩＤを指定して、ＩＰ−ＦＡＸ２０への送信操作を行うと、ＩＰ携帯電話２３は延長後の保存期限と文書ＩＤを含めた保存期限延長コマンドをＳＩＰのインスタントメッセージを使用してＩＰ−ＦＡＸ２０へ送信する。
【０２１３】
ＩＰ携帯電話２３はまた、フラッシュＲＯＭ等の不揮発性メモリに記憶されている文書の保存期限を延長後の保存期限に置き換える。ＩＰ−ＦＡＸ２０は保存期限延長コマンドを受信すると、文書ＩＤ−ユーザＩＤ対応テーブル中にある、保存期限延長コマンドに含まれた文書ＩＤと対応付けられた保存期限（プリント期限）を保存期限延長コマンドに含まれた保存期限に置き換える。
【０２１４】
そして、ＩＰ−ＦＡＸ２０は文書ＩＤと変更された保存期限をＩＰ携帯電話２４へＳＩＰのインスタントメッセージを使用して送信する。ＩＰ携帯電話２４はこのメッセージを受信すると、このメッセージに含まれた文書ＩＤと対応付けて記憶された文書の保存期限をこのメッセージに含まれた保存期限で置き換える。そして、ＩＰ携帯電話２４は送信者＝Ａｌｉｃｅからの文書の保存期限が変更されたことを、変更後の保存期限とともに表示部に表示する。
【０２１５】
ＩＰ携帯電話２３の所有ユーザが、ＩＰ−ＦＡＸ２０にて受信文書をプリントするために、ＩＰ携帯電話２３を持ってＩＰ−ＦＡＸ２０の前に移動する。
【０２１６】
ＩＰ携帯電話２３がＩＰ−ＦＡＸ２０に近づくと、Ｂｌｕｅｔｏｏｔｈ通信リンクが自動的に確立され、ＩＰ−ＦＡＸ２０はＰＩＮコードを用いた認証手順によりＩＰ携帯電話２３を認証する。そして、ＩＰ携帯電話２３は文書ＩＤを含めたプリントコマンドをＢｌｕｅｔｏｏｔｈ通信によりＩＰ−ＦＡＸ２０へ送信し、ＩＰ−ＦＡＸ２０はこの文書ＩＤに対応した２値画像データをプリントする。プリントが完了すると、文書ＩＤ−ユーザＩＤ対応テーブル中のＩＰ携帯電話２３の所有ユーザのユーザＩＤに対応したプリント完了フラグをオンにする（１の値をセットする）。
【０２１７】
続いて、ＩＰ−ＦＡＸ２０はＩＰ携帯電話２３に文書ＩＤの削除コマンドをＳＩＰのインスタントメッセージを使用して送信する。ＩＰ携帯電話２３はこのメッセージを受信すると、フラッシュＲＯＭ等の不揮発性メモリに記憶されたこのメッセージに含まれた文書ＩＤと、それと対応付けて記憶された送信者のユーザ名および文書の保存期限を消去する。
【０２１８】
ここで、ＩＰ携帯電話２４の所有ユーザが文書をプリントする前に、この文書の保存期限になったとする。ＩＰ−ＦＡＸ２０は文書ＩＤ−ユーザＩＤ対応テーブルのプリント完了フラグをチェックして、オンになっていないＩＰ携帯電話２４に文書の保存切れの情報も含めた文書ＩＤの削除コマンドをＳＩＰのインスタントメッセージを使用して送信する。
【０２１９】
ＩＰ携帯電話２４はこのメッセージを受信すると、ＩＰ−ＦＡＸ２０にて送信者＝Ａｌｉｃｅからの受信文書が保存切れになったことを表示部に表示し、フラッシュＲＯＭ等の不揮発性メモリに記憶されたこのメッセージに含まれた文書ＩＤとそれと対応付けて記憶された送信者のユーザ名、および文書の保存期限を消去する。
【０２２０】
そして、ＩＰ−ＦＡＸ２０は保存切れになった文書の文書ＩＤと同じファイル名のＴＩＦＦファイルをハードディスク４１から削除し、また、フラッシュＲＯＭ３２に記憶された文書ＩＤ−ユーザＩＤ対応テーブルを消去する。
【０２２１】
本実施形態における、送信した文書の保存期限をＩＰ−ＦＡＸ１０のユーザが指定し、受信端末はこの保存期限を過ぎると受信して保存していた文書を削除する場合で、文書の保存期限が近づくと、この文書をプリントしていないユーザがいるか否かをチェックして、プリントしていないユーザへプリントを催促するメッセージを送信する場合について説明する。
【０２２２】
ＩＰ−ＦＡＸ１０のユーザは個別送信モードを選択して、さらに文書（送信画像）の保存期限を指定する。そして、ＩＰ−ＦＡＸ１０のユーザは電子電話帳により、ＩＰ携帯電話２３の所有ユーザとＩＰ携帯電話２４の所有ユーザを選択する。続いて、ＩＰ−ＦＡＸ１０のユーザは予め登録されている送信者アイコンの一覧から自分のユーザ名のアイコンを選択する。
【０２２３】
続いて、ＩＰ−ＦＡＸ１０のユーザが原稿を原稿用スキャナ３７にセットして、ＩＰ−ＦＡＸ２０のＦＡＸ番号を入力してスタートキーを押すと、ＩＰ−ＦＡＸ１０は原稿用スキャナ３７から原稿画像を読み取って、ＩＰ−ＦＡＸ２０と接続する。そして、ＩＰ−ＦＡＸ１０は文書ＩＤ、送信者のユーザ名、文書の保存期限、ＩＰ携帯電話２３の所有ユーザのユーザＩＤ、ＩＰ携帯電話２３の電話番号、ＩＰ携帯電話２４の所有ユーザのユーザＩＤ、ＩＰ携帯電話２４の電話番号をＮＳＳコマンドに含めてＩＰ−ＦＡＸ２０へ送信する。
【０２２４】
なお、ユーザＩＤとＩＰ携帯電話の電話番号はユーザ名に対応して電子電話帳に予め登録されている。
【０２２５】
ＩＰ−ＦＡＸ２０では、このＮＳＳコマンドを受信すると、これに含まれている文書ＩＤ、送信者のユーザ名、文書の保存期限、ＩＰ携帯電話２３の所有ユーザのユーザＩＤ、ＩＰ携帯電話２３の電話番号、ＩＰ携帯電話２４の所有ユーザのユーザＩＤ、ＩＰ携帯電話２４の電話番号を各ユーザＩＤに対応した初期値ゼロをセットしたプリント完了フラグも付加して、これらのデータを文書ＩＤ−ユーザＩＤ対応テーブルとしてフラッシュＲＯＭ３２に記憶する。
【０２２６】
続いて、ＩＰ−ＦＡＸ２０はＭＭＲ圧縮された２値画像データを受信すると、これをＴＩＦＦファイルにしてハードディスク４１に記憶、保存する。続いて、ＩＰ−ＦＡＸ２０はＩＰ携帯電話２３へ文書ＩＤ、送信者のユーザ名、文書の保存期限を、ＩＰ携帯電話２４へ文書ＩＤ、送信者のユーザ名、文書の保存期限を、それぞれＳＩＰのインスタントメッセージを使用して送信する。
【０２２７】
ＩＰ携帯電話２３とＩＰ携帯電話２４はこのメッセージを受信すると、このメッセージに含まれた文書ＩＤ、送信者のユーザ名、文書の保存期限をフラッシュＲＯＭ等の不揮発性メモリに記憶するとともに、ＩＰ−ＦＡＸ２０が送信者＝Ａｌｉｃｅから文書を受信したことを文書の保存期限とともに表示部に表示する。
【０２２８】
ＩＰ携帯電話２３の所有ユーザが、ＩＰ−ＦＡＸ２０にて受信文書をプリントするために、ＩＰ携帯電話２３を持ってＩＰ−ＦＡＸ２０の前に移動する。
【０２２９】
ＩＰ携帯電話２３がＩＰ−ＦＡＸ２０に近づくと、Ｂｌｕｅｔｏｏｔｈ通信リンクが自動的に確立され、ＩＰ−ＦＡＸ２０はＰＩＮコードを用いた認証手順によりＩＰ携帯電話２３を認証する。そして、ＩＰ携帯電話２３は文書ＩＤを含めたプリントコマンドをＢｌｕｅｔｏｏｔｈ通信によりＩＰ−ＦＡＸ２０へ送信し、ＩＰ−ＦＡＸ２０はこの文書ＩＤに対応した２値画像データをプリントする。プリントが完了すると、文書ＩＤ−ユーザＩＤ対応テーブル中のＩＰ携帯電話２３の所有ユーザのユーザＩＤに対応したプリント完了フラグをオンにする（１の値をセットする）。
【０２３０】
続いて、ＩＰ−ＦＡＸ２０はＩＰ携帯電話２３に文書ＩＤの削除コマンドをＳＩＰのインスタントメッセージを使用して送信する。ＩＰ携帯電話２３はこのメッセージを受信すると、フラッシュＲＯＭ等の不揮発性メモリに記憶されたこのメッセージに含まれた文書ＩＤと、それと対応付けて記憶された送信者のユーザ名および文書の保存期限を消去する。
【０２３１】
その後、ＩＰ−ＦＡＸ２０は文書ＩＤ−ユーザＩＤ対応テーブルにある文書の保存期限から所定の時間だけ遡った時刻になると、文書ＩＤ−ユーザＩＤ対応テーブルのプリント完了フラグがゼロのままとなっているＩＰ携帯電話２４へプリントを催促するコマンドをＳＩＰのインスタントメッセージを使用して送信する。
【０２３２】
ＩＰ携帯電話２４はこのメッセージを受信すると、文書の保存期限が近づいていることを、残りの保存時間とともに表示部に表示する。
【０２３３】
ＩＰ携帯電話２４の所有ユーザが、ＩＰ−ＦＡＸ２０にて受信文書をプリントするために、ＩＰ携帯電話２４を持ってＩＰ−ＦＡＸ２０の前に移動する。
【０２３４】
ＩＰ携帯電話２４がＩＰ−ＦＡＸ２０に近づくと、Ｂｌｕｅｔｏｏｔｈ通信リンクが自動的に確立され、ＩＰ−ＦＡＸ２０はＰＩＮコードを用いた認証手順によりＩＰ携帯電話２３を認証する。そして、ＩＰ携帯電話２４は文書ＩＤを含めたプリントコマンドをＢｌｕｅｔｏｏｔｈ通信によりＩＰ−ＦＡＸ２０へ送信し、ＩＰ−ＦＡＸ２０はこの文書ＩＤに対応した２値画像データをプリントする。プリントが完了すると、文書ＩＤ−ユーザＩＤ対応テーブル中のＩＰ携帯電話２４の所有ユーザのユーザＩＤに対応したプリント完了フラグをオンにする（１の値をセットする）。
【０２３５】
続いて、ＩＰ−ＦＡＸ２０はＩＰ携帯電話２４に文書ＩＤの削除コマンドをＳＩＰのインスタントメッセージを使用して送信する。ＩＰ携帯電話２４はこのメッセージを受信すると、フラッシュＲＯＭ等の不揮発性メモリに記憶されたこのメッセージに含まれた文書ＩＤと、それと対応付けて記憶された送信者のユーザ名および文書の保存期限を消去する。
【０２３６】
続いて、ＩＰ−ＦＡＸ２０はＩＰ−ＦＡＸ１０から指定された全てのユーザＩＤを持ったユーザがＩＰ−ＦＡＸ１０から受信した文書をプリントしたと判断したら、ハードディスク４１に保存されたこの文書の文書ＩＤと同じファイル名のＴＩＦＦファイルを削除し、また、フラッシュＲＯＭ３２に記憶された文書ＩＤ−ユーザＩＤ対応テーブルを消去する。
【０２３７】
なお、ＩＰ−ＦＡＸ２０は上記の処理に係わった、送信元端末であるＩＰ−ＦＡＸ１０の電話番号、文書の受信日時、文書ＩＤ、送信者のユーザ名、ユーザＩＤ、受信の通知先である電話番号、プリント日時をプリント履歴としてフラッシュＲＯＭ３２に記憶していき、この時点で、このプリント履歴情報を文書の送信元端末であるＩＰ−ＦＡＸ１０へＳＩＰのインスタントメッセージを使用して送信する。
【０２３８】
本実施形態における、文書の受信端末であるＩＰ−ＦＡＸ２０がプリント履歴を文書を送信したユーザが指定したメールアドレス宛に送信する場合について説明する。
【０２３９】
ＩＰ−ＦＡＸ１０のユーザが個別送信モードを選択すると、ＩＰ−ＦＡＸ１０は文書の送信先の端末がプリント履歴を送信する宛先を入力する画面となるため、ユーザは自分のメールアドレスを入力する。そして、ＩＰ−ＦＡＸ１０のユーザは電子電話帳により、ＩＰ携帯電話２３の所有ユーザとＩＰ携帯電話２４の所有ユーザを選択して、続いて、予め登録されている送信者アイコンの一覧から自分のユーザ名のアイコンを選択する。
【０２４０】
続いて、ＩＰ−ＦＡＸ１０のユーザが原稿を原稿用スキャナ３７にセットして、ＩＰ−ＦＡＸ２０のFAX番号を入力してスタートキーを押すと、ＩＰ−ＦＡＸ１０は原稿用スキャナ３７から原稿画像を読み取って、ＩＰ−ＦＡＸ２０と接続する。そして、ＩＰ−ＦＡＸ１０は文書ＩＤ、送信者のユーザ名、プリント履歴の送信先メールアドレス、ＩＰ携帯電話２３の所有ユーザのユーザＩＤ、ＩＰ携帯電話２３の電話番号、ＩＰ携帯電話２４の所有ユーザのユーザＩＤ、ＩＰ携帯電話２４の電話番号をＮＳＳコマンドに含めてＩＰ−ＦＡＸ２０へ送信する。
【０２４１】
なお、ユーザＩＤとＩＰ携帯電話の電話番号はユーザ名に対応して電子電話帳に予め登録されている。ＩＰ−ＦＡＸ２０では、このＮＳＳコマンドを受信すると、これに含まれている文書ＩＤ、送信者のユーザ名、プリント履歴の送信先メールアドレス、ＩＰ携帯電話２３の所有ユーザのユーザＩＤ、ＩＰ携帯電話２３の電話番号、ＩＰ携帯電話２４の所有ユーザのユーザＩＤ、ＩＰ携帯電話２４の電話番号を、初期値ゼロをセットしたプリント完了フラグも付加して、文書ＩＤ−ユーザＩＤ対応テーブルとしてフラッシュＲＯＭ３２に記憶する。
【０２４２】
続いて、ＩＰ−ＦＡＸ２０はＭＭＲ圧縮された２値画像データを受信すると、これをＴＩＦＦファイルにしてハードディスク４１に記憶、保存する。続いて、ＩＰ−ＦＡＸ２０はＩＰ携帯電話２３へ文書ＩＤと送信者のユーザ名を、ＩＰ携帯電話２４へ文書ＩＤと送信者のユーザ名を、それぞれＳＩＰのインスタントメッセージを使用して送信する。
【０２４３】
その後、ＩＰ携帯電話２３の所有ユーザとＩＰ携帯電話２４の所有ユーザが通知された文書ＩＤの文書をプリントすると、ＩＰ−ＦＡＸ２０は図１１に示したプリント履歴情報を文書ＩＤ−ユーザＩＤ対応テーブルに記憶されたメールアドレス宛に送信する。
【０２４４】
本実施形態における、文書の受信端末であるＩＰ−ＦＡＸ２０がプリント履歴を文書を送信したユーザが指定した時刻に送信する場合について説明する。
【０２４５】
ＩＰ−ＦＡＸ１０のユーザが個別送信モードを選択すると、ＩＰ−ＦＡＸ１０は文書の送信先の端末がプリント履歴を送信する宛先と送信時刻を入力する画面となるため、ユーザは自分のメールアドレスとプリント履歴の送信時刻を入力する。そして、ＩＰ−ＦＡＸ１０のユーザは電子電話帳により、ＩＰ携帯電話２３の所有ユーザとＩＰ携帯電話２４の所有ユーザを選択して、続いて、予め登録されている送信者アイコンの一覧から自分のユーザ名のアイコンを選択する。
【０２４６】
続いて、ＩＰ−ＦＡＸ１０のユーザが原稿を原稿用スキャナ３７にセットして、ＩＰ−ＦＡＸ２０のＦＡＸ番号を入力してスタートキーを押すと、ＩＰ−ＦＡＸ１０は原稿用スキャナ３７から原稿画像を読み取って、ＩＰ−ＦＡＸ２０と接続する。そして、ＩＰ−ＦＡＸ１０は文書ＩＤ、送信者のユーザ名、プリント履歴の送信先メールアドレス、プリント履歴の送信時刻、ＩＰ携帯電話２３の所有ユーザのユーザＩＤ、ＩＰ携帯電話２３の電話番号、ＩＰ携帯電話２４の所有ユーザのユーザＩＤ、ＩＰ携帯電話２４の電話番号をＮＳＳコマンドに含めてＩＰ−ＦＡＸ２０へ送信する。
【０２４７】
なお、ユーザＩＤとＩＰ携帯電話の電話番号はユーザ名に対応して電子電話帳に予め登録されている。ＩＰ−ＦＡＸ２０では、このＮＳＳコマンドを受信すると、これに含まれている文書ＩＤ、送信者のユーザ名、プリント履歴の送信先メールアドレス、プリント履歴の送信時刻、ＩＰ携帯電話２３の所有ユーザのユーザＩＤ、ＩＰ携帯電話２３の電話番号、ＩＰ携帯電話２４の所有ユーザのユーザＩＤ、ＩＰ携帯電話２４の電話番号を、初期値ゼロをセットしたプリント完了フラグも付加して、文書ＩＤ−ユーザＩＤ対応テーブルとしてフラッシュＲＯＭ３２に記憶する。
【０２４８】
続いて、ＩＰ−ＦＡＸ２０はＭＭＲ圧縮された２値画像データを受信すると、これをＴＩＦＦファイルにしてハードディスク４１に記憶、保存する。続いて、ＩＰ−ＦＡＸ２０はＩＰ携帯電話２３へ文書ＩＤと送信者のユーザ名を、ＩＰ携帯電話２４へ文書ＩＤと送信者のユーザ名を、それぞれＳＩＰのインスタントメッセージを使用して送信する。
【０２４９】
その後、送信者から指定されたプリント履歴の送信時刻になると、ＩＰ−ＦＡＸ２０は図１１に示したプリント履歴情報を文書ＩＤ−ユーザＩＤ対応テーブルに記憶されたメールアドレス宛に送信する。
【０２５０】
本発明における上述した一実施形態では、文書の受信端末が文書ＩＤを通知する端末としてＩＰ携帯電話を例に挙げて説明したが、他の種類の端末であってもよい。
また、文書の受信端末が文書ＩＤをＰＣへ送信し、ＰＣに接続された非接触ＩＣカードライターを使用して文書ＩＤを非接触ＩＣカードへ書き込み、ユーザはこの非接触ＩＣカードを持って受信端末のところへ行き、受信端末に接続された非接触ＩＣカードリーダーを使用して文書ＩＤを受信端末へ渡すことによって、文書ＩＤに対応した文書をプリントする形態にも適用可能である。
【０２５１】
また、文書データプリント手段は、プリントを許可されたユーザＩＤを持ったデバイスからの文書データのプリント動作を文書データとともに受信して文書付属情報記憶手段に記憶されたプリント回数だけ行うことを特徴とする。
【０２５２】
また、文書付属情報記憶手段は、文書データのプリントが許可されたユーザから文書ＩＤに対応した文書データのプリントを実行する権限を他のユーザに譲渡するためのプリント権限譲渡コマンドを受信した場合に、記憶されたユーザＩＤと文書データの受信を通知するアドレスを、プリント権限譲渡コマンドで指定された譲渡先のユーザのユーザＩＤと文書データの受信を通知するアドレスに変更して記憶することを特徴とする。
【０２５３】
また、文書データ削除手段は、文書データのプリントを許可されたユーザが複数の場合でもプリントを許可されたユーザＩＤを持ったデバイスからの文書データのプリントが１回実行された時点で、文書データ記憶手段に記憶された文書ＩＤに対応した文書データを削除することを特徴とする。
【０２５４】
また、文書データ削除手段は、文書データとともに受信して文書データの付属情報として文書付属情報記憶手段に記憶された文書データの保存期限になると、文書データ記憶手段に記憶された文書ＩＤに対応した文書データを削除することを特徴とする。
【０２５５】
また、文書付属情報記憶手段は、文書データのプリントが許可されたユーザから文書データの保存期限を延長するための延長依頼コマンドを受信した場合に、文書ＩＤに対応した文書データの保存期限を延長依頼コマンドで指定された期間だけ延長して記憶することを特徴とする。
【０２５６】
また、文書ＩＤ送信手段は、文書データの保存期限前の予め定められた時点で、文書データのプリントを許可されたユーザのうち文書データのプリントを実行していないユーザＩＤのユーザのアドレス宛に文書データのプリントを催促するメッセージを送信することを特徴とする。
【０２５７】
また、文書ＩＤ送信手段は、文書データのプリントを許可されたユーザが文書データのプリントを完了した場合に、プリントを実行したユーザＩＤのユーザのアドレス宛に文書ＩＤを削除するコマンドを送信することを特徴とする。
【０２５８】
また、文書ＩＤに対応したプリントを許可されたユーザＩＤを持ったデバイスからの文書データのプリント動作実行の履歴を記憶するプリント履歴記憶手段と、プリント履歴記憶手段に記憶されたプリント履歴をユーザに送信するプリント履歴送信手段と、を備え、プリント履歴送信手段は、プリント履歴記憶手段に記憶されたプリント履歴情報を文書データの送信元端末へ送信することを特徴とする。
【０２５９】
また、プリント履歴送信手段は、プリント履歴記憶手段に記憶されたプリント履歴情報を文書データとともに受信して文書付属情報記憶手段に記憶されているプリント履歴の送信先宛先アドレスに送信することを特徴とする。
【０２６０】
また、プリント履歴送信手段は、プリント履歴記憶手段に記憶されたプリント履歴情報の送信を文書データとともに受信して文書付属情報記憶手段に記憶されているプリント履歴の送信時刻に実行することを特徴とする。
【産業上の利用可能性】
【０２６１】
本発明によれば、ＭＦＰといわれる多機能プリンタや複合機などの画像通信装置の用途に適用できる。
【符号の説明】
【０２６２】
１    ＩＰネットワーク
２    ＳＩＰサーバ
１０    ＩＰ−ＦＡＸ
１１    ＰＣ（パソコン）
１２    ＡＰ（アクセスポイント）
１３    ＩＰ携帯電話
２０    ＩＰ−ＦＡＸ
２１    ＰＣ（パソコン）
２２    ＡＰ（アクセスポイント）
２３    ＩＰ携帯電話
２４    ＩＰ携帯電話
３０    ＣＰＵ
３１    メインメモリ
３２    フラッシュＲＯＭ（Ｒｅａｄ Ｏｎｌｙ Ｍｅｍｏｒｙ）
３３    クロック
３４    バスコントローラ
３５    ＰＣＩブリッジ
３６    キャッシュメモリ
３７    原稿用スキャナ
３８    原稿スキャナコントローラ
３９    プリントエンジン
４０    プリントコントローラ
４１    ハードディスク
４２    ハードディスクコントローラ
４３    ＬＣＤ表示コントローラ
４４    ＬＣＤ
４５    ＬＡＮコントローラ
４６    ＬＡＮインターフェイス
４７    キー入力コントローラ
４８    ハードキー
４９    タッチパネルコントローラ
５０    タッチパネル
５１    ＲＴＣ（Ｒｅａｌ Ｔｉｍｅ Ｃｌｏｃｋ）
５２    ＵＡＲＴ（Ｕｎｉｖｅｒｓａｌ Ａｓｙｎｃｈｒｏｎｏｕｓ Ｒｅｃｅｉｖｅｒ
Ｔｒａｎｓｍｉｔｔｅｒ）
５３    Ｂｌｕｅｔｏｏｔｈモジュール
５４    アンテナ
５５    ＣＰＵバス
５６    ＰＣＩバス
５７    Ｘバス（内部バス）
６０    画像読取部
６１    画像変換部
６２    文書送信部
６３    表示制御部
６４    操作部
６５    メッセージ受信部
７０    文書受信部
７１    文書記憶部
７２    文書付属情報記憶部
７３    メッセージ送信部
７４    ユーザＩＤ認証部
７５    プリントコマンド受信部
７６    プリント出力部
７７    紙
【先行技術文献】
【特許文献】
【０２６３】
【特許文献１】特開２００７−１５７０７３号公報
【図１】
2010166431.tif 000003
【図２】
2010166431.tif 000004
【図３】
2010166431.tif 000005
【図４】
2010166431.tif 000006
【図５】
2010166431.tif 000007
【図６】
2010166431.tif 000008
【図７】
2010166431.tif 000009
【図８】
2010166431.tif 000010
【図９】
2010166431.tif 000011
【図１０】
2010166431.tif 000012
【図１１】
2010166431.tif 000013
【図１２】
2010166431.tif 000014
【図１３】
2010166431.tif 000015
【図１４】
2010166431.tif 000016
【図１５】
2010166431.tif 000017
【図１６】
2010166431.tif 000018
【図１７】
2010166431.tif 000019
【図１８】
2010166431.tif 000020
【図１９】
2010166431.tif 000021